(57)【要約】  無線通信システムにおけるＡＣＫ/ＮＡＣＫ信号送信方法は、無線リソースを割り当てる段階、及び前記無線リソースに対するインデックスから定められる位置において、ＡＣＫチャネルを介してＡＣＫ/ＮＡＣＫ信号を送信する段階を含む。前記無線リソースは、リソース割当のための基本的な単位であるリソースユニットを少なくとも一つ含み、前記リソースユニットは、周波数領域で隣接するサブキャリアを含む局部的リソースユニット及び周波数領域で分散されるサブキャリアを含む分散的リソースユニットのうちのいずれか一方である。前記局部的リソースユニットのインデックスは、前記ＡＣＫチャネルのインデックスにそのままマッピングされ、前記分散的リソースユニットのインデックスは、パーミュテーション方式に応じて前記ＡＣＫチャネルのインデックスにマッピングされる。【選択図】図６
2011517383.tif 000002
【特許請求の範囲】
【請求項１】
無線通信システムにおけるＡＣＫ/ＮＡＣＫ信号送信方法において、
無線リソースを割り当てる段階；及び
前記無線リソースに対するインデックスから定められる位置のＡＣＫチャネルを介してＡＣＫ/ＮＡＣＫ信号を送信する段階；を含み、
前記無線リソースは、リソース割当のための基本的な単位であるリソースユニットを少なくとも一つ含み、前記リソースユニットは、周波数領域で隣接するサブキャリアを含む局部的リソースユニット及び周波数領域で分散されるサブキャリアを含む分散的リソースユニットのうち少なくともいずれか一つであり、前記局部的リソースユニットのインデックスは、前記ＡＣＫチャネルのインデックスにそのままマッピングされ、前記分散的リソースユニットのインデックスは、順列方式に応じて前記ＡＣＫチャネルのインデックスにマッピングされる無線通信システムにおけるＡＣＫ/ＮＡＣＫ信号送信方法。
【請求項２】
前記局部的リソースユニット及び前記分散的リソースユニットは、論理的リソースユニットのインデックスにマッピングされる後、前記ＡＣＫチャネルのインデックスにマッピングされることを特徴とする請求項１に記載の無線通信システムにおけるＡＣＫ/ＮＡＣＫ信号送信方法。
【請求項３】
前記無線リソースは、端末に割り当てられるアップリンクまたはダウンリンクリソースユニットであることを特徴とする請求項１に記載の無線通信システムにおけるＡＣＫ/ＮＡＣＫ信号送信方法。
【請求項４】
前記無線リソースは、端末に割り当てられるアップリンク制御ブロックであることを特徴とする請求項１に記載の無線通信システムにおけるＡＣＫ/ＮＡＣＫ信号送信方法。
【請求項５】
無線通信システムにおけるＡＣＫ/ＮＡＣＫ信号送信方法において、
無線リソースを介してデータを送受信する段階；及び
前記無線リソースのインデックス情報から指示されるＡＣＫチャネルを介してＡＣＫ/ＮＡＣＫ信号を受信する段階；を含み、
前記無線リソースは、リソース割当のための基本的な単位であるリソースユニットを少なくとも一つ含み、前記リソースユニットは、周波数領域で隣接するサブキャリアを含む局部的リソースユニット及び周波数領域で分散されるサブキャリアを含む分散的リソースユニットのうち少なくともいずれか一つであり、前記ＡＣＫチャネルのインデックスは、前記局部的リソースユニットのインデックスからそのままマッピングされ、前記分散的リソースユニットのインデックスから混ざってマッピングされる無線通信システムにおけるＡＣＫ/ＮＡＣＫ信号送信方法。
【請求項６】
前記ＡＣＫチャネルを介して複数のユーザのＡＣＫ/ＮＡＣＫ信号が複合コード分割多重（ＣＤＭ）／周波数分割多重（ＦＤＭ）方式で多重化されて送信されることを特徴とする請求項５に記載の無線通信システムにおけるＡＣＫ/ＮＡＣＫ信号送信方法。
【請求項７】
前記ＡＣＫチャネルを介して複数のユーザのＡＣＫ/ＮＡＣＫ信号が周波数分割多重方式で多重化されて送信されることを特徴とする請求項５に記載の無線通信システムにおけるＡＣＫ/ＮＡＣＫ信号送信方法。
【請求項８】
無線通信システムにおける複数のダウンリンクサブフレーム及び複数のアップリンクサブフレームを含むフレームを用いたＡＣＫ/ＮＡＣＫ信号送信方法において、
前記アップリンクサブフレームを介してデータを送信する段階；及び
前記データに対するＡＣＫ/ＮＡＣＫ信号を前記複数のダウンリンクサブフレームに含まれるＡＣＫチャネルを介して受信する段階；を含み、前記ＡＣＫチャネルは、複数のユーザに対するＡＣＫチャネルを多重化して含み、前記複数のユーザに対するＡＣＫチャネルは、ユーザが割当を受けたリソースブロックを基準として区分される無線通信システムにおけるＡＣＫ/ＮＡＣＫ信号送信方法。
【請求項９】
前記ＡＣＫチャネルは、前記複数のユーザに対するＡＣＫチャネルを複数個含むＡＣＫチャネルグループに含まれることを特徴とする請求項８に記載の無線通信システムにおけるＡＣＫ/ＮＡＣＫ信号送信方法。
【請求項１０】
前記ＡＣＫチャネルは、周波数領域で分散されるサブキャリアにマッピングされることを特徴とする請求項８に記載の無線通信システムにおけるＡＣＫ/ＮＡＣＫ信号送信方法。
【請求項１１】
前記ＡＣＫチャネルは、前記複数のユーザに対するＡＣＫチャネルを直交シーケンスに結合して多重化することを特徴とする請求項８に記載の無線通信システムにおけるＡＣＫ/ＮＡＣＫ信号送信方法。
【請求項１２】
前記ダウンリンクサブフレームは、前記ＡＣＫチャネルの割当情報を含むサブＭＡＰを含むことを特徴とする請求項８に記載の無線通信システムにおけるＡＣＫ/ＮＡＣＫ信号送信方法。
【発明の詳細な説明】
【技術分野】
【０００１】
本発明は、無線通信に関し、より詳しくは、ＡＣＫ/ＮＡＣＫ信号送信方法に関する。
【背景技術】
【０００２】
通信の信頼性を確保するためのエラー補償技法としては、ＦＥＣ(forward error correction)方式(scheme)及びＡＲＱ(automatic repeat request)方式がある。ＦＥＣ方式では情報ビットに余分のエラー訂正コードを追加させることによって、受信段におけるエラーを訂正する。ＡＲＱ方式ではデータ再送信を介してエラーを訂正して、ＳＡＷ(stop and wait)、ＧＢＮ(Go-back-N)、ＳＲ(selective repeat)方式などがある。ＳＡＷ方式は、送信したフレームを正確に受信するかどうかを確認した後、次のフレームを送信する方式である。ＧＢＮ方式は、連続的なＮ個のフレームを送信して、成功的に送信が行われないと、エラーが発生したフレーム以後に送信された全てのフレームを再送信する方式である。ＳＲ方式は、エラーが発生したフレームのみを選択的に再送信する方式である。
【０００３】
ＦＥＣ方式は、時間遅延が少なく、送受信段間に別途に授受する情報が必要ないという長所があるが、良好なチャネル環境でシステム効率が落ちる短所がある。ＡＲＱ方式は、送信信頼性を高めることができるが、時間遅延が発生するようになって劣悪なチャネル環境でシステム効率が落ちる短所がある。このような短所を解決するために提案されたものがＦＥＣ及びＡＲＱを結合した複合自動再送信(hybrid automatic repeat request、以下、ＨＡＲＱ)方式である。ＨＡＲＱ方式によると、物理階層の受信したデータが復号できないエラーを含むかどうかを確認して、エラーが発生すると、再送信を要求することによって性能を高める。
【０００４】
ＨＡＲＱ方式の受信機は、基本的に受信データに対してエラー訂正を試みて、エラー検出符号(error detection code)を使用して再送信するかどうかを決定する。エラー検出符号は、ＣＲＣ(Cyclic Redundancy Check)を使用することができる。ＣＲＣ検出過程を介して受信データのエラーを検出するようになると、受信機は、送信機にＮＡＣＫ(Non-acknowledgement)信号を送る。ＮＡＣＫ信号を受信した送信機は、ＨＡＲＱモードに応じて適切な再送信データを送信する。再送信データを受けた受信機は、以前データと再送信データを結合してデコーディングすることによって受信性能を向上させる。
【０００５】
ＨＡＲＱのモードは、チェイス結合(Chase combining)とＩＲ(Incremental Redundancy)に区分することができる。チェイス結合は、エラーが検出されたデータを捨てないで再送信されたデータと結合させてＳＮＲ(signal-to-noise ratio)利得を得る方法である。ＩＲは、再送信されるデータに追加的な付加情報(additional redundant information)が増加的に(incrementally)送信されて再送信にともなう負担を減らしてコーディング利得(coding gain)を得る方法である。
【０００６】
ＨＡＲＱは、リソース割当、変調技法、送信ブロック(transport block)の大きさなどの送信属性(transmission attribute)に応じて適応的(adaptive)ＨＡＲＱと非適応的(non-adaptive)ＨＡＲＱに区分することができる。適応的ＨＡＲＱは、チャネル状況の変化に応じて再送信に使用する送信属性を初期送信と比較して全体または部分的に変えて送信する方式である。非適応的ＨＡＲＱは、初期送信に使用した送信属性をチャネル状況の変化に関係なしに持続的に使用する方式である。
【０００７】
ＨＡＲＱの再送信方式は、同期式(synchronous)と非同期式(Asynchronous)に区分することができる。同期式ＨＡＲＱは、送信機と受信機の両方とも知っている時点にデータを再送信する方式であり、ＨＡＲＱプロセッサナンバーのようなデータ送信に必要なシグナリングを減らすことができる。非同期式ＨＡＲＱは、再送信のために任意の時間にリソースを割り当てる方式であり、データ送信に必要なシグナリングを必要とするため、オーバーヘッドが発生する。
【０００８】
通信技術の発展とともに無線リソースの構造は、周波数領域または時間領域でさらに細分化されており、これに伴いデータの送信に対するＡＣＫ/ＮＡＣＫ信号の送信も増加するようになる。限定された無線リソースを一層効率的に用いて多くの数のＡＣＫ/ＮＡＣＫ信号を遅延なしに送信することができなければならない。
【０００９】
多くの数のＡＣＫ/ＮＡＣＫ信号を一層効率的に送信することができる方法が必要である。
【発明の概要】
【発明が解決しようとする課題】
【００１０】
本発明が解決しようとする技術的課題は、複数のＡＣＫ/ＮＡＣＫ信号を効率的に送信することができる方法を提供することである。
【課題を解決するための手段】
【００１１】
本発明の一態様にともなう無線通信システムにおけるＡＣＫ/ＮＡＣＫ信号送信方法は、無線リソースを割り当てる段階、及び前記無線リソースに対するインデックスから定められる位置のＡＣＫチャネルを介してＡＣＫ/ＮＡＣＫ信号を送信する段階、を含み、前記無線リソースは、リソース割当のための基本的な単位であるリソースユニットを少なくとも一つ含み、前記リソースユニットは、周波数領域で隣接するサブキャリアを含む局部的リソースユニット及び周波数領域で分散されるサブキャリアを含む分散的リソースユニットのうち少なくともいずれか一つであり、前記局部的リソースユニットのインデックスは、前記ＡＣＫチャネルのインデックスにそのままマッピングされ、前記分散的リソースユニットのインデックスは、パーミュテーション方式に応じて前記ＡＣＫチャネルのインデックスにマッピングされる。
【００１２】
本発明の他の態様にともなう無線通信システムにおけるＡＣＫ/ＮＡＣＫ信号送信方法は、無線リソースを介してデータを送受信する段階、及び前記無線リソースのインデックス情報から指示されるＡＣＫチャネルを介してＡＣＫ/ＮＡＣＫ信号を受信する段階、を含み、前記無線リソースは、リソース割当のための基本的な単位であるリソースユニットを少なくとも一つ含み、前記リソースユニットは、周波数領域で隣接するサブキャリアを含む局部的リソースユニット及び周波数領域で分散されるサブキャリアを含む分散的リソースユニットのうち少なくともいずれか一つであり、前記ＡＣＫチャネルのインデックスは、前記局部的リソースユニットのインデックスからそのままマッピングされ、前記分散的リソースユニットのインデックスから混ざってマッピングされる。
【００１３】
本発明のもう一つの態様にともなう無線通信システムにおける複数のダウンリンクサブフレーム及び複数のアップリンクサブフレームを含むフレームを用いたＡＣＫ/ＮＡＣＫ信号送信方法は、前記アップリンクサブフレームを介してデータを送信する段階、及び前記データに対するＡＣＫ/ＮＡＣＫ信号を前記複数のダウンリンクサブフレームに含まれるＡＣＫチャネルを介して受信する段階、を含み、前記ＡＣＫチャネルは、複数のユーザに対するＡＣＫチャネルを多重化して含み、前記複数のユーザに対するＡＣＫチャネルは、ユーザが割当を受けたリソースブロックを基準として区分される。
【発明の効果】
【００１４】
端末に割り当てられるＡＣＫチャネルに対する情報を効率的に知らせることができて、ＡＣＫ/ＮＡＣＫ信号送信の遅延を減らすことができる。
【図面の簡単な説明】
【００１５】
【図１】無線通信システムを示すブロック図である。
【図２】フレーム構造の一例を示す。
【図３】サブチャネル構造の一例である。
【図４】リソースユニットマッピングの一例を示す。
【図５】ＨＡＲＱを用いたデータ送信を示す。
【図６】本発明の一実施例に係る制御ブロックベースのＡＣＫ/ＮＡＣＫリンケージ方式を示す。
【図７】本発明の他の実施例に係るリソースユニットベースのＡＣＫ/ＮＡＣＫリンケージ方式を示す。
【図８】本発明の一実施例に係るＡＣＫチャネルインデックスへの論理的リソースユニットのマッピングを示す。
【図９】本発明の一実施例に係るＡＣＫチャネルインデックスへの局部的リソースユニット及び分散的リソースユニットのマッピングを示す。
【図１０】本発明の一実施例に係る多重ユーザのＡＣＫ/ＮＡＣＫ信号送信のための処理過程を示す。
【図１１】本発明の一実施例に係るＡＣＫチャネルのエンコーディングを示す。
【図１２】本発明の一実施例に係る多重ユーザのＡＣＫチャネルのグループ化を示す。
【図１３】本発明の一実施例に係るＡＣＫチャネルグループの直交シーケンス結合を示す。
【図１４】本発明の一実施例に係る分散的リソースユニットに割り当てられるＡＣＫチャネルを示す。
【図１５】本発明の他の実施例に係る分散的リソースユニットに割り当てられるＡＣＫチャネルを示す。
【図１６】本発明の一実施例に係るダウンリンクＡＣＫチャネルの構造を示す。
【図１７】本発明の他の実施例に係るダウンリンクＡＣＫチャネルの構造を示す。
【図１８】本発明の他の実施例に係るダウンリンクＡＣＫチャネルの構造を示す。
【図１９】本発明の他の実施例に係るダウンリンクＡＣＫチャネルの構造を示す。
【図２０】本発明の他の実施例に係るダウンリンクＡＣＫチャネルの構造を示す。
【図２１】本発明の他の実施例に係るダウンリンクＡＣＫチャネルの構造を示す。
【図２２】本発明の他の実施例に係るダウンリンクＡＣＫチャネルの構造を示す。
【図２３】本発明の他の実施例に係るダウンリンクＡＣＫチャネルの構造を示す。
【図２４】本発明の他の実施例に係るダウンリンクＡＣＫチャネルの構造を示す。
【図２５】本発明の他の実施例に係るダウンリンクＡＣＫチャネルの構造を示す。
【図２６】本発明の他の実施例に係るダウンリンクＡＣＫチャネルの構造を示す。
【図２７】本発明の他の実施例に係るダウンリンクＡＣＫチャネルの構造を示す。
【図２８】本発明の他の実施例に係るダウンリンクＡＣＫチャネルの構造を示す。
【図２９】本発明の一実施例に係るＣＱＩフィードバックに基づくＨＡＲＱモードに対するリソース割当を示す。
【図３０】本発明の他の実施例に係るダウンリンクＡＣＫチャネルの構成を示す。
【図３１】本発明の一実施例に係るダウンリンクＡＣＫチャネルを割り当てる方法を示す。
【図３２】本発明の一実施例に係るＡＣＫチャネルに対する圧縮方法を示す。
【図３３】本発明の他の実施例に係るＡＣＫチャネルに対する圧縮方法を示す。
【図３４】本発明の一実施例に係る制御情報を用いたＡＣＫチャネルのマッピングを示す。
【図３５】本発明の他の実施例に係る制御情報を用いたＡＣＫチャネルのマッピングを示す。
【図３６】本発明の一実施例に係るサブＭＡＰの送信を示す。
【図３７】本発明の一実施例に係るチャネル推定方式にともなうシステム性能を比較したグラフである。
【図３８】本発明の他の実施例に係るチャネル推定方式にともなうシステム性能を比較したグラフである。
【図３９】本発明の他の実施例に係るチャネル推定方式にともなうシステム性能を比較したグラフである。
【図４０】本発明の一実施例に係るＣＣ(Chase Combining)及びＩＲ(Incremental Redundancy)モードの性能を比較したグラフである。
【図４１】本発明の他の実施例に係るＣＣ(Chase Combining)及びＩＲ(Incremental Redundancy)モードの性能を比較したグラフである。
【図４２】フレームに構成にともなうダウンリンクＨＡＲＱで処理遅延の一例を示す。
【図４３】本発明の一実施例に係るアップリンクＡＣＫチャネルの構成を示す。
【図４４】本発明の他の実施例に係るアップリンクＡＣＫチャネルの構成を示す。
【図４５】本発明の他の実施例に係るアップリンクＡＣＫチャネルの構成を示す。
【図４６】本発明の他の実施例に係るアップリンクＡＣＫチャネルの構成を示す。
【図４７】本発明の他の実施例に係るアップリンクＡＣＫチャネルの構成を示す。
【図４８】本発明の他の実施例に係るアップリンクＡＣＫチャネルの構成を示す。
【図４９】本発明の他の実施例に係るアップリンクＡＣＫチャネルの構成を示す。
【図５０】本発明の他の実施例に係るアップリンクＡＣＫチャネルの構成を示す。
【図５１】本発明の他の実施例に係るアップリンクＡＣＫチャネルの構成を示す。
【図５２】本発明の他の実施例に係るアップリンクＡＣＫチャネルの構成を示す。
【図５３】本発明の他の実施例に係るアップリンクＡＣＫチャネルの構成を示す。
【図５４】本発明の他の実施例に係るアップリンクＡＣＫチャネルの構成を示す。
【図５５】本発明の他の実施例に係るアップリンクＡＣＫチャネルの構成を示す。
【図５６】本発明の他の実施例に係るアップリンクＡＣＫチャネルの構成を示す。
【図５７】本発明の他の実施例に係るアップリンクＡＣＫチャネルの構成を示す。
【図５８】本発明の他の実施例に係るアップリンクＡＣＫチャネルの構成を示す。
【図５９】本発明の他の実施例に係るアップリンクＡＣＫチャネルの構成を示す。
【図６０】本発明の一実施例に係る高速ＨＡＲＱを実行することができるフレーム構造を示す。
【図６１】本発明の他の実施例に係る高速ＨＡＲＱを実行することができるフレーム構造を示す。
【発明を実施するための形態】
【００１６】
以下の技術は、ＣＤＭＡ(code division multiple access)、ＦＤＭＡ(frequency division multiple access)、ＴＤＭＡ(time division multiple access)、ＯＦＤＭＡ(orthogonal frequency division multiple access)、ＳＣ-ＦＤＭＡ(single carrier frequency division multiple access)などのような多様な無線通信システムに使われることができる。ＣＤＭＡは、ＵＴＲＡ(Universal Terrestrial Radio Access)やＣＤＭＡ２０００のような無線技術(radio technology)により具現されることができる。ＴＤＭＡは、ＧＳＭ(Global System for Mobile communications)/ＧＰＲＳ(General Packet Radio Service)/ＥＤＧＥ(Enhanced Data Rates for GSM Evolution)のような無線技術により具現されることができる。ＯＦＤＭＡは、ＩＥＥＥ８０２.１１(Wi-Fi)、ＩＥＥＥ８０２.１６(WiMAX)、ＩＥＥＥ８０２-２０、Ｅ-ＵＴＲＡ(Evolved UTRA)などのような無線技術により具現されることができる。ＵＴＲＡは、ＵＭＴＳ(Universal Mobile Telecommunications System)の一部である。３ＧＰＰ(3rd Generation Partnership Project)ＬＴＥ(long term evolution)は、Ｅ-ＵＴＲＡを使用するＥ-ＵＭＴＳ(EvolvedＵＭＴＳ)の一部であって、ダウンリンクでＯＦＤＭＡを採用し、アップリンクでＳＣ-ＦＤＭＡを採用する。ＩＥＥＥ８０２.１６ｍはＩＥＥＥ８０２.１６ｅの進化である。
【００１７】
説明を明確にするために、ＩＥＥＥ８０２.１６ｍを中心に記述するが、本発明の技術的思想がこれに制限されることではない。
【００１８】
図１は、無線通信システムを示す。
【００１９】
図１を参照すると、無線通信システムは、少なくとも一つの基地局(２０;Base Station、BS)を含む。各基地局(２０)は、特定の地理的領域(一般的にセルという)に対して通信サービスを提供する。また、セルは、複数の領域(セクタという)に分かれることができる。端末(１０;User Equipment、UE)は、固定される、或いは移動性を有することができ、ＭＳ(Mobile Station)、ＵＴ(User Terminal)、ＳＳ(Subscriber Station)、無線機器(wireless device)、ＰＤＡ(personal digital assistant)、無線モデム(wireless modem)、携帯機器(handheld device)等、他の用語で呼ばれることができる。基地局(２０)は、一般的に端末(１０)と通信する固定局(fixed station)をいい、ｅＮＢ(evolved-NodeB)、ＢＴＳ(Base Transceiver System)、アクセスポイント(Access Point)等、他の用語で呼ばれることができる。
【００２０】
以下、ダウンリンク(downlink、DL)は、基地局から端末への通信を意味して、アップリンク(uplink、UL)は、端末から基地局への通信を意味する。ダウンリクにおいて、送信機は基地局の一部分であり、受信機は端末の一部分である。アップリンクにおいて、送信機は端末の一部分であり、受信機は基地局の一部分である。
【００２１】
図２は、フレーム構造の一例を示す。
【００２２】
図２を参照すると、スーパーフレーム(Superframe)は、スーパーフレームヘッダ(Superframe Header)と４個のフレーム(frame、F0、F1、F2、F3)を含む。各スーパーフレームの大きさは２０ｍｓであり、各フレームの大きさは５ｍｓであると例示しているが、これに限定されることではない。スーパーフレームヘッダは、スーパーフレームの最も前方部に配置されることができ、共用制御チャネル(Common Control Channel)が割り当てられる。共用制御チャネルは、スーパーフレームを構成するフレームに対する情報またはシステム情報のようにセル内の全ての端末が共通的に活用することができる制御情報を送信するために使われるチャネルである。
【００２３】
一つのフレームは、８個のサブフレーム(Subframe、SF0、SF1、SF2、SF3、SF4、SF5、SF6、SF7)を含む。各サブフレームは、アップリンクまたはダウンリンク送信のために使われることができる。サブフレームは、６または７個のＯＦＤＭシンボル(symbol)で構成されることができるが、これは例示に過ぎない。フレームには、ＴＤＤ(Time Division Duplexing)またはＦＤＤ(Frequency Division Duplexing)が適用されることができる。ＴＤＤにおいて、各サブフレームが同一周波数で異なる時間にアップリンクまたはダウンリンクに使われる。即ち、ＴＤＤフレーム内のサブフレームは、時間領域でアップリンクサブフレームとダウンリンクサブフレームに区分される。ＦＤＤにおいて、各サブフレームが同一時間に異なる周波数でアップリンクまたはダウンリンクに使われる。即ち、ＦＤＤフレーム内のサブフレームは、周波数領域でアップリンクサブフレームとダウンリンクサブフレームに区分される。アップリンク送信及びダウンリンク送信は、異なる周波数帯域を占めて、同時に行われることができる。
【００２４】
サブフレームは、少なくとも一つの周波数パーティション(Frequency Partition)を含む。周波数パーティションは、少なくとも一つの物理的リソースユニット(Physical Resource Unit、PRU)で構成される。周波数パーティションは、局部的(Localized)ＰＲＵ及び/または分散的(Distributed)ＰＲＵを含むことができる。周波数パーティションは、部分的周波数再使用(Fractional Frequency Reuse、FFR)、または、マルチキャスト及びブロードキャストサービス(Multicast and Broadcast Services、MBS)のような他の目的のために使われることができる。
【００２５】
ＰＲＵは、複数個の連続的なＯＦＤＭシンボルと複数個の連続的なサブキャリアを含むリソース割当のための基本的な物理的ユニットで定義される。ＰＲＵに含まれるＯＦＤＭシンボルの数は、一つのサブフレームに含まれるＯＦＤＭシンボルの個数と同一である。例えば、一つのサーフフレームが６ＯＦＤＭシンボルで構成される時、ＰＲＵは、１８サブキャリア及び６ＯＦＤＭシンボルで定義されることができる。論理的リソースユニット(Logical Resource Unit、LRU)は、分散的(distributed)リソース割当及び局部的(localized)リソース割当のための基本的な論理単位である。ＬＲＵは、複数個のＯＦＤＭシンボルと複数個のサブキャリアで定義されて、ＰＲＵで使われるパイロットを含む。従って、一つのＬＲＵにおける適切なサブキャリアの個数は割り当てられたパイロットの数に依存する。
【００２６】
論理的分散リソースユニット(Logical Distributed Resource Unit、DRU)は、周波数ダイバーシティ利得を得るために使われることができる。ＤＲＵは、一つの周波数パーティション内に分散されたサブキャリアグループを含む。ＤＲＵの大きさは、ＰＲＵの大きさと同じである。ＤＲＵを形成する最小単位は一つのサブキャリアである。
【００２７】
論理的局部リソースユニット(Logical Contiguous Resource Unit、CRU)は、周波数選択的スケジューリング利得を得るために使われることができる。ＣＲＵは、局部的サブキャリアグループを含む。ＣＲＵの大きさは、ＰＲＵの大きさと同じである。
【００２８】
図３は、サブチャネル構造の一例である。
【００２９】
図３を参照すると、サブチャネルの基本単位は、物理的リソースユニット(Physical Resource Unit、PRU)である。例えば、一つのＰＲＵは、１８サブキャリア(subcarrier)６ＯＦＤＭシンボルで構成される。サブチャネルは、少なくとも一つ以上のＰＲＵを含むことができる。サブチャネルは、バンドセレクション(band selection)ＰＲＵとダイバーシティ(diversity)ＰＲＵが一つのサブフレーム内で異なる周波数領域を占めるように配列される構造を有することができる。
【００３０】
図４は、リソースユニットマッピングの一例を示す。一つのＯＦＤＭシンボル上にある複数のサブキャリアは、少なくとも一つのＰＲＵに分かれる。各ＰＲＵは、パイロットサブキャリア及びデータサブキャリアを含む。
【００３１】
図４を参照すると、アウターパーミュテーション(Outer Permutation)がＰＲＵに適用される。アウターパーミュテーションは、少なくとも一つ以上のＰＲＵ単位に適用される。アウターパーミュテーションの直接マッピングは、ＣＲＵによってのみサポートされる。
【００３２】
また、再配列されたＰＲＵを周波数パーティション(frequency partitions)に分散させる。前記周波数パーティションは、各リソースグループに対するＣＲＵ及びＤＲＵに分かれる。セクタ特定パーミュテーション(Sector Specific Permutation)がサポートされることができて、リソースの直接マッピングが局部的リソースに対してサポートされることができる。分散的/局部的リソースの大きさは、セクタ当たり柔軟に設定されることができる。次に、局部的グループ及び分散的グループは、ＬＲＵにマッピングされる。
【００３３】
一つの周波数パーティション内で分散的リソース割当に対して定義されたインナーパーミュテーション(Inner Permutation)は、全体分散的リソース割当にかけてＤＲＵのサブキャリアが広がるようにする。インナーパーミュテーションの粒度(granularity)は、ＤＲＵを形成する最小単位と同一である。一つの分散的グループ内にＮ個のＬＲＵがあると仮定すれば、Ｐ個の順列シーケンスが提供される。分散的リソースのためのサブチャネル化は、分散的リソースの全体利用可能な帯域幅でＬＲＵのサブキャリアが広がるようにする。局部的リソース割当に対するインナーパーミュテーションはない。ＰＲＵは、各周波数パーティション内でＣＲＵで直接マッピングされる。
【００３４】
以下、ＨＡＲＱを用いたデータ送信及びこのためのＡＣＫチャネルの構成に対して説明する。ＡＣＫチャネルは、ＡＣＫ(acknowledgement)信号またはＮＡＣＫ(Non-acknowledgement)信号を送るチャネルである。ＡＣＫチャネルは、少なくとも一つのＡＣＫ/ＮＡＣＫ信号をのせることができて、ＡＣＫチャネルは、時間領域に少なくとも一つのＯＦＤＭシンボル及び周波数領域に少なくとも一つのサブキャリアを含む。一つのＡＣＫチャネルには複数ＡＣＫ/ＮＡＣＫ信号がＦＤＭ(frequency division multiplexing)方式、ＴＤＭ(time division multiplexing)方式またはＣＤＭ(code division multiplex)方式で多重化することができる。
【００３５】
説明の便宜のために、ＩＥＥＥ８０２.１６ｍシステムを‘１６ｍ’で、ＩＥＥＥ８０２.１６ｅシステムを‘１６ｅ’で表現する。例えば、ＩＥＥＥ８０２.１６ｍシステムのためのＡＣＫチャネルを１６ｍＡＣＫチャネルで表して、ＩＥＥＥ８０２.１６ｅシステムのためのＡＣＫチャネルを１６ｅＡＣＫチャネルで表す。１６ｍシステムは１６ｅシステムに対して下位互換性(backward compatibility)をサポートするシステムを意味して、１６ｅシステムは発展したシステム(evolved system)以前の既存システム(legacy system)を意味する。ここでは説明のために１６ｍシステム及び１６ｅシステムを例えて説明するが、発明の技術的思想は、既存システム及び既存システムに対する下位互換性をサポートする発展したシステムにおけるＡＣＫチャネルに適用されることができる。
【００３６】
図５は、ＨＡＲＱを用いたデータ送信を示す。
【００３７】
図５を参照すると、一つのサブフレームの送信にかかる時間を送信時間間隔(transmission time interval:ＴＴＩ)という。即ち、１ＴＴＩは、１サブフレームに対応される。送信機(Tx)で一つのサブフレームを介してデータを送信して受信機(Rx)から該当サブフレームに対するＡＣＫ/ＮＡＣＫ信号を受信してデータ再送信の直前までの時間をラウンドトリップ時間(round trip time:ＲＴＴ)という。ＲＴＴには送信機(Tx)及び受信機(Rx)におけるデータ処理に必要な時間である処理遅延(processing delay)が含まれる。
【００３８】
送信機が端末であり、受信機が基地局であるアップリンク送信に対するＡＣＫ/ＮＡＣＫ信号を送信する制御チャネルをダウンリンクＡＣＫチャネルといい、送信機が基地局であり、受信機が端末であるダウンリンク送信に対するＡＣＫ/ＮＡＣＫ信号を送信する制御チャネルをアップリンクＡＣＫチャネルという。
【００３９】
まず、ダウンリンクＡＣＫチャネルに対して説明する。
【００４０】
ダウンリンクＡＣＫチャネルを構成することにおいて、多重化性能(multiplexing capability)及び要求目標品質(required target quality)が考慮される。これに伴い多重化方法、変調次数(modulation order)、直交シーケンス(orthogonal sequence)の拡散ファクタ(spreading factor、SF)及び繰り返し率(repetition rate)などが決定される。多重化されるユーザの数にともなう変調方式、変調方式にともなう多重化方法、ＡＣＫチャネルに割り当てられる無線リソースにおける繰り返し率などが算出される。
【００４１】
例えば、２個のＡＣＫチャネルを多重化する場合、変調方式としてＢＰＳＫ(binary phase shift key)を使用し、多重化方式としてＣＤＭ方式や複合(hybrid)ＣＤＭ/ＦＤＭ方式を使用することができ、拡散ファクタＳＦ＝２を使用することができる。直交シーケンスとしては、ウォルシュ(Walsh)コード、ＣＡＺＡＣ(Constant Amplitude Zero Auto-Correlation)シーケンス、離散フーリエ変換(Discrete Fourier Transform:ＤＦＴ)シーケンスなど、多様な直交シーケンスが使われることができて、直交シーケンスの種類は制限されない。ＡＣＫチャネルのグループの数は、(全体必要なＡＣＫチャネル数)/(多重化されたＡＣＫチャネル数)で決定される。ＡＣＫチャネルのグループ当たり必要なトーン(tone)の数は、(全体利用できるトーン)/(ＡＣＫチャネルグループ数)で決定される。繰り返し率は、(ＡＣＫチャネルグループ当たり必用なトーンの数)/(該当変調方式(BPSK)及びＳＦのために必要なトーンの数)で決定される。トーンは、一つのサブキャリア及び一つのＯＦＤＭシンボルで構成される。
【００４２】
他の例として、Ｋ個のＡＣＫチャネルがＣＤＭまたは複合ＣＤＭ/ＦＤＭ方式で多重化されることができる。変調方式としてＢＰＳＫを使用する時、Ｉ/Ｑチャネルの多重化なしに拡散ファクタＳＦ＝Ｋが決定される、或いはＩ/Ｑチャネルの多重化と共に拡散ファクタＳＦ＝Ｋ/２が決定されることができる。ここでＫ>２である。ＡＣＫチャネルのグループの数は、(全体必要なＡＣＫチャネル数)/(多重化されたＡＣＫチャネル数)で決定される。ＡＣＫチャネルグループ当たり必要なトーン(tone)の数は、(全体利用できるトーン)/(ＡＣＫチャネルグループ数)で決定される。繰り返し率は、Ｍが変調次数である時、(ＡＣＫチャネルグループ当たり必用なトーンの数)/(ＳＦ/Ｍ)で決定される。
【００４３】
<ダウンリンクＡＣＫチャネルインデックスマッピング>
【００４４】
ダウンリンクＡＣＫチャネルにＡＣＫ/ＮＡＣＫ信号がマッピングされる構造を知らせる方法としては、明示的マッピング(explicit mapping)方式及び黙示的マッピング(implicit mapping)方式がある。明示的マッピング方式は、制御信号を介してダウンリンクＡＣＫチャネルの位置、大きさなどを知らせる方式である。黙示的マッピングは、ＵＬ ＭＡＰメッセージまたはリソースブロックを基準として定められた位置のダウンリンクＡＣＫチャネルを介してＡＣＫ/ＮＡＣＫ信号が送信される方式である。明示的マッピング方式及び黙示的マッピング方式は、アップリンクＡＣＫチャネルのインデックスマッピング方式にも適用されることができる。
【００４５】
(１)明示的マッピング方式
【００４６】
特定ユーザに割り当てられない領域(non user specific region)である共用制御チャネルで複数ユーザのうち特定ユーザのＡＣＫ/ＮＡＣＫ信号がマッピングされるＡＣＫチャネルの大きさを制御信号を介して知らせる。ＡＣＫ/ＮＡＣＫ信号がマッピングされるＡＣＫチャネルに対する情報をＡＣＫ/ＮＡＣＫフィードバック情報という。例えば、ユーザのＡＣＫチャネルの大きさは、０乃至４８のうち一つになることができる。スケジューリングの粒度(granularity)を考慮する時、一つの端末当たり一つのリソースブロックが割り当てられることができる。このとき、必要な全体ＡＣＫチャネルの数は、４８個になることができる。
【００４７】
または、実際環境で割り当てられることができるＡＣＫチャネルの数を予め予約してＡＣＫチャネルを割り当てることができる。例えば、１６個のＡＣＫチャネルが予約される場合、４ビットのリソース割当情報を示す制御フィールドが共用制御チャネル領域に割り当てられることができる。または、３２個のＡＣＫチャネルをサポートするために５ビットの制御フィールドが共用制御チャネル領域に割り当てられることができる。共用制御チャネル領域にＡＣＫチャネル割当のための６ビットの制御フィールドが割り当てられる場合、制御フィールドの値のうち、４８個は、ＡＣＫチャネルの大きさを指示し、残りの１６個は、他の制御チャネルのための用途として使われることができる。
【００４８】
Ｎ個のＡＣＫチャネルが割り当てられる時、該当端末のＡＣＫ/ＮＡＣＫフィードバック情報の位置が明示的に含まれることができる(Ｎは、０より大きい整数)。このとき、Ｎ個のＡＣＫチャネルの制御フィールドの値Ｍビットを介して端末のＡＣＫ/ＮＡＣＫフィードバック情報の位置が明示的に表現されることができる(Ｍは０より大きい整数)。例えば、１６個のＡＣＫチャネルがサポートされる時、４ビットを介して該当端末のＡＣＫ/ＮＡＣＫフィードバック情報がシグナリングされることができる。３２個のＡＣＫチャネルがサポートされる時、５ビットを介して該当端末のＡＣＫ/ＮＡＣＫフィードバック情報がシグナリングされることができる。即ち、Ｌ個のＡＣＫチャネルがサポートされる時、ｌｏｇ２Ｌビットを介して該当端末のＡＣＫ/ＮＡＣＫフィードバック情報がシグナリングされることができる。
【００４９】
該当ＡＣＫ/ＮＡＣＫチャネルの大きさ情報は、提供されるサービス別に要求されるＡＣＫ/ＮＡＣＫチャネルの送信品質を満たすための目的としてシグナリングされることができる。このために、繰り返し率(repetition)の回数をシグナリングすることによってＡＣＫ/ＮＡＣＫチャネルの大きさを調節することができる。ＡＣＫチャネルの大きさを調節するための繰り返し率は、ビット単位に適用されることができ、シンボル単位に適用されることもできる。
【００５０】
ＡＣＫチャネルの位置及び大きさ情報が共に共用制御チャネルまたは他の制御チャネルを介して指示されることができる。他の制御チャネルには、ＢＣＨ(broadcast channel)、Ｐ-ＢＣＨ(primary broadcast channel)、Ｓ-ＢＣＨ(secondary broadcast channel)またはＡＢＩ(additional broadcast channel)などがある。前記提示された制御チャネルは、その名称に限定されず、このような機能を遂行する全てのチャネルが該当されることができる。
【００５１】
(２)黙示的マッピング方式
【００５２】
ＡＣＫ/ＮＡＣＫ信号のマッピングを黙示的に知らせる方法として、(ａ)ＵＬ ＭＡＰメッセージ(またはＵＬ ＭＡＰメッセージに該当する制御チャネル)を基準として該当端末のＡＣＫ/ＮＡＣＫ信号をマッピングする方法、(ｂ)リソース割当を介して端末が割当を受けたリソースブロックを基準としてＡＣＫ/ＮＡＣＫ信号をマッピングする方法がある。初期送信の場合、端末に割り当てられた制御チャネルの位置に応じて該当端末のＡＣＫ/ＮＡＣＫ信号がマッピングされるＡＣＫチャネルが黙示的に指示されることができる。
【００５３】
ＵＬ ＭＡＰメッセージを基準として該当端末のＡＣＫ/ＮＡＣＫ信号をマッピングする方法を制御ブロックベースのＡＣＫ/ＮＡＣＫリンケージ(Control block based linkage of ACK/NACK)方式といい、リソースブロックを基準としてＡＣＫ/ＮＡＣＫ信号をマッピングする方法をリソースユニットベースのＡＣＫ/ＮＡＣＫリンケージ(RU based linkage of ACK/NACK)方式という。
【００５４】
図６は、本発明の一実施例に係る制御ブロックベースのＡＣＫ/ＮＡＣＫリンケージ方式を示す。
【００５５】
図６を参照すると、制御ブロックベースのＡＣＫ/ＮＡＣＫリンケージ方式は、端末に割り当てられるアップリンク制御ブロックを基準として端末のダウンリンクＡＣＫチャネルがマッピングされる方式である。即ち、端末に割り当てられるアップリンク制御ブロックの情報が該当端末のダウンリンクＡＣＫチャネルを指示する方式である。各端末は、自分に割り当てられたアップリンク制御ブロックに対する情報を用いてダウンリンクＡＣＫチャネルで自分のＡＣＫチャネルをさがすことができる。制御ブロックに対する情報は、制御ブロックが属するフレームまたはサブフレームのインデックス、フレームまたはサブフレームで制御ブロックの位置インデックス、制御ブロックに該当するリソースユニット(リソースブロック)のインデックス、リソースユニットを構成するタイル(tile)の位置インデックスなどになることができる。一方、ダウンリンクＨＡＲＱにおいて、アップリンクＡＣＫチャネルに対してもダウンリンク制御ブロックが端末のアップリンクＡＣＫチャネルを指示することができる。
【００５６】
制御ブロックベースのＡＣＫ/ＮＡＣＫリンケージ方式は、ＶｏＩＰのように制御信号が使われない永続的スケジューリングでサポートされない難しさがあり、ＡＣＫ/ＮＡＣＫリンケージのために追加的な制御ブロックが要求されるため、シグナリングオーバーヘッドが増加することができる。
【００５７】
図７は、本発明の他の実施例に係るリソースユニットベースのＡＣＫ/ＮＡＣＫリンケージ方式を示す。
【００５８】
図７を参照すると、リソースユニットベースのＡＣＫ/ＮＡＣＫリンケージ方式は、端末に割り当てられるアップリンクまたはダウンリンクリソースユニットを基準として端末のダウンリンクＡＣＫチャネルがマッピングされる方式である。即ち、端末に割り当てられるアップリンクまたはダウンリンクリソースユニットの情報が該当端末のダウンリンクＡＣＫチャネルを指示する方式である。端末は、自分に割り当てられたアップリンクまたはダウンリンクリソースユニットに対する情報を用いてダウンリンクＡＣＫチャネルで自分のＡＣＫチャネルをさがすことができる。
【００５９】
アップリンクまたはダウンリンクリソースユニットに対する情報は、端末に割り当てられたリソースユニットが属するフレームまたはサブフレームのインデックス、フレームまたはサブフレームで端末に割り当てられたリソースユニットまたはリソースブロックのインデックス、リソースユニットを構成するタイル(tile)の位置インデックスなどになることができる。リソースユニットベースのＡＣＫ/ＮＡＣＫリンケージ方式では端末に無線リソースをスケジューリングすることによってＡＣＫ/ＮＡＣＫリンケージが実行されることができて、システムの帯域幅やＭＵ-ＭＩＭＯでデータストリームの数のようなシステムパラメータに応じてＡＣＫチャネルのリソースが多様に定められることができる。
【００６０】
アップリンクＨＡＲＱでデータ再送信の際、ＭＡＰメッセージが送信される場合には、ＵＬ ＭＡＰメッセージを用いてＡＣＫ/ＮＡＣＫ信号をマッピングして、ＭＡＰメッセージが送信されない場合には、リソースブロックを基準としてＡＣＫ/ＮＡＣＫ信号をマッピングすることもできる。然しながら、本発明は、このようなマッピング方式に制限されない。
【００６１】
<ＤＲＵを考慮したダウンリンクＡＣＫチャネルインデックスマッピング>
【００６２】
データのリソース割当を考慮したリソースマッピングは、分散的リソースユニット(distributed Resource Unit、DRU)割当を考慮することができ、分散的リソースユニット割当方式で周波数選択的ダイバーシティ利得を得ることができる。また、ダウンリンクＡＣＫチャネルに対してインナーパーミュテーション方式が適用されることができる。ダウンリンクＡＣＫチャネルの構成においてインナーパーミュテーション方式が適用されることができ、二つのトーンのペアリング(two tone pairing)が考慮されることができる。
【００６３】
図８は、本発明の一実施例に係るＡＣＫチャネルインデックスへの論理的リソースユニットのマッピングを示す。
【００６４】
図８を参照すると、論理的リソースユニットは、ＡＣＫチャネルインデックスと関連付けられることができる。論理的リソースユニットのインデックスで端末にリソーススケジューリングが実行される時、ダウンリンクＡＣＫ/ＮＡＣＫ信号は、対応する端末に割り当てられた論理的リソースユニットのインデックスと関連付けられることができる。局部的リソースユニット(CRU)のインデックスは、論理的リソースユニットのインデックスにそのまま(directly)マッピングされることができる。分散的リソースユニット(DRU)は、順列方式に応じて混ざって論理的リソースユニットのインデックスにマッピングされることができる。論理的リソースユニットのインデックスがＡＣＫチャネルのインデックスにそのままマッピングされることができる。ＡＣＫチャネルのインデックスは、論理的リソースユニットのインデックスを介して局部的リソースユニット及び分散的リソースユニットのインデックスと関連付けられることができる。
【００６５】
図９は、本発明の一実施例に係るＡＣＫチャネルインデックスへの局部的リソースユニット及び分散的リソースユニットのマッピングを示す。
【００６６】
図９を参照すると、局部的リソースユニット(CRU)のインデックスは、対応する物理的リソースユニットのインデックスにそのまま(directly)マッピングされることができる。分散的リソースユニット(DRU)のインデックスは、論理的リソースユニットのインデックスに応じて割り当てられることができる。論理的リソースユニットと物理的リソースユニットの数は同一であるため、分散的リソースユニットと関連付けられている論理的リソースユニットのインデックスは、局部的リソースユニットのインデックスをＡＣＫチャネルのインデックスにそのまま関連させた後、残っているＡＣＫチャネルのインデックスと関連付けられることができる。ＡＣＫチャネルのインデックスは、局部的リソースユニットのインデックスと関連付けられるインデックスと、分散的リソースユニットのインデックスと関連付けられるインデックスと、に区分されることができる。
【００６７】
ＡＣＫ/ＮＡＣＫ信号をリソース要素にマッピングすることにおいて、(１)多重化されるＡＣＫ/ＮＡＣＫ信号は、論理的リソースユニットに分散されて割り当てられることができる。(２)ＡＣＫ/ＮＡＣＫ信号のためのリソース要素は、１/２ＬＲＵを基本とすることができる。(３)ダウンリンクＡＣＫチャネルは、リソース割当や電力制御側面を考慮して他のユーザの特定制御チャネルと周波数領域に多重化されることができる。(４)ＡＣＫチャネルのためのリソース要素として、２４個のＡＣＫチャネルを含む５ＭＨｚシステム帯域幅では１/２ＤＲＵ(または１/２ＬＲＵ)、４８個のＡＣＫチャネルを含む１０ＭＨｚシステム帯域幅では１ＤＲＵ(または１ＬＲＵ)、９６個のＡＣＫチャネルを含む２０ＭＨｚシステム帯域幅では２ＤＲＵ(または２ＬＲＵ)が要求されることができる。該当システム帯域幅で要求されるＡＣＫチャネルのためのリソース要素は、前記提示した制御チャネルを介してその大きさを調節することができる。また、ＡＣＫチャネルの大きさを調節する方法は、ＡＣＫチャネルの明示的リンケージ方式で提示された方法がそのまま適用されることができる。
【００６８】
電力均衡を維持するための側面でＡＣＫチャネルは、他の制御チャネル及びデータチャネルとＦＤＭ方式で多重化されることが効果的である。このとき、ＡＣＫチャネルは、周波数パーティション(frequency partition)内の全体周波数領域で分散されて割り当てられることができる。周波数パーティションは、周波数再使用率(frequency reuse)Ｎに応じて分類されて指定されることができる。Ｎにともなう周波数パーティションは、その数に制限をおかない。また、特定周波数パーティション内でのみＡＣＫチャネルが構成されることもできる。複数のユーザに対するＡＣＫ/ＮＡＣＫ信号が多重化されてＡＣＫチャネルにマッピングされて送信されるため、他のセルに対する干渉が最小化されるようにＡＣＫチャネルに対するリソース割当及び多重化方式が決定されなければならない。
【００６９】
<複数のユーザに対するＡＣＫチャネルマッピング>
【００７０】
アップリンクＭＵ-ＭＩＭＯのアップリンクデータ送信において、複数のユーザは、同一リソースの割当を受けることができる。アップリンクＭＵ-ＭＩＭＯで同一なＡＣＫチャネルインデックスが２個端末にペアリングされて関連付けられることができる。ペアリングされた端末のＡＣＫチャネルインデックスをお互いに異に指示することができる方法が必要である。複数の端末のＡＣＫチャネルをペアリングすると、ＡＣＫチャネルのためのリソースを減らすことができる。
【００７１】
リソースユニットベースのＡＣＫ/ＮＡＣＫリンケージ方式で複数のユーザに対するＡＣＫチャネルは、ユーザが割当を受けたリソースユニットを基準として区分されることができる。端末が割当を受けたリソースユニットのうち最初のリソースユニットを基準として、ＡＣＫチャネルグループ内のＡＣＫチャネルのうち一つに該当端末のＡＣＫ/ＮＡＣＫ信号がマッピングされることができる。端末は、最初のリソースユニットのインデックスを介して自分が属するＡＣＫチャネルグループ内のＡＣＫチャネルをさがすことができて、該当ＡＣＫチャネルを介して基地局が送ったＡＣＫ/ＮＡＣＫ信号を受信することができる。基準になるリソースユニットは、最初のリソースユニットに限定されず、端末は、割当を受けたリソースユニットのうち任意のリソースユニットを基準としてＡＣＫチャネルグループ内のＡＣＫチャネルを介するＡＣＫ/ＮＡＣＫ信号をさがすことができる。一方、ＡＣＫチャネルをいくつかのＡＣＫチャネルグループとしてグループ化されて管理する方式が適用されない場合にも、端末が割当を受けたリソースユニットの最初のリソースユニットまたは任意のリソースユニットを基準として指示されるリソースユニットにＡＣＫ/ＮＡＣＫ信号がマッピングされることができる。ＡＣＫチャネルのグループの数は、上位階層シグナリングを介して指示される、或いは黙示的方式によって指示されることができる。
【００７２】
同一リソースの割当を受けたペアリングされた端末は、アップリンクデータ送信のために割当を受けたパイロットシンボルのパターンインデックスとこれに準ずるセパレータを介して端末のためのＡＣＫ/ＮＡＣＫフィードバック情報が分類されてＡＣＫチャネルに割り当てられることができる。また、アップリンクデータ送信時割当を受けたコード分割多重化シーケンスインデックスとこれに準ずるセパレータを介して端末のためのＡＣＫ/ＮＡＣＫフィードバック情報が分類されてＡＣＫチャネルに割り当てられることができる。
【００７３】
図１０は、本発明の一実施例に係る多重ユーザのＡＣＫ/ＮＡＣＫ信号送信のための処理過程を示す。
【００７４】
図１０を参照すると、複数のユーザのＡＣＫ/ＮＡＣＫ信号の各々に対して繰り返し(repetition)過程が実行される(Ｓ１１０)。繰り返し過程の繰り返し率は、ＡＣＫチャネルの多重化性能に応じて定められることができる。繰り返し率は、システム要求及びサービス類型に応じて変化されることができて、どのくらいの繰り返しを実行するかは制御チャネルを介してシグナリングされることができる。ダウンリンクＡＣＫチャネルのインデックスが端末に割り当てられたリソースユニットの各々にマッピングされる場合、全てのリソースユニットを介するＡＣＫ/ＮＡＣＫフィードバック情報は、ソフトコンバイニング(soft combining)を用いて信頼性が強化されることができる。変調次数もシステムの要求及びサービス類型に応じて変更されることができる。変調次数の決定は、黙示的または明示的シグナリングを介して指示されることができる。ダウンリンクＡＣＫチャネルを構成する複数ユーザのＡＣＫチャネルは、接合コーディング(joint coding)されて送信されることができる。
【００７５】
繰り返し過程が実行されたＡＣＫ/ＮＡＣＫ信号は、変調マッパ(Modulation mapper)によってチャネル状態にともなう変調方式が適用されて信号コンスタレーション(signal constellation)上の位置を表現するシンボルに配置される(Ｓ１２０)。変調次数は、ＡＣＫチャネルの多重化性能応じて定められることができる。ＡＣＫ/ＮＡＣＫ信号の多重化率がＫとする時、即ち、Ｋ個のＡＣＫ/ＮＡＣＫビットが変調マッピングによって多重化される時、繰り返し回数は、次のように定められることができる。
【００７６】
繰り返し回数＝(サブキャリアの数−パイロットサブキャリアの数)/(全体ＡＣＫチャネル数/Ｋ)
【００７７】
ＡＣＫチャネルの多重化性能及び利用可能なリソースユニットを考慮する時、ＡＣＫチャネルは、ＱＰＳＫ変調方式及び繰り返し率２を使用することができる。然しながら、変調方式(modulation scheme)には制限がなく、ｍ-ＰＳＫ(m-Phase Shift Keying)またはｍ-ＱＡＭ(m-Quadrature Amplitude Modulation)であってもよい。例えば、ｍ-ＰＳＫは、ＢＰＳＫ、ＱＰＳＫまたは８-ＰＳＫである。ｍ-ＱＡＭは、１６-ＱＡＭ、６４-ＱＡＭまたは２５６-ＱＡＭである。
【００７８】
変調されたＡＣＫ/ＮＡＣＫ信号のシンボルは、時間領域及び周波数領域の無線リソースにマッピングされる(Ｓ１３０)。ダウンリンクＡＣＫチャネルは、アップリンク無線リソース割当情報で指示されるリソースユニットのインデックスと関連付けられることができる。即ち、変調されたＡＣＫ/ＮＡＣＫ信号のシンボルは、端末に割り当てられたアップリンク無線リソースのインデックスと関連付けられるリソースユニットにマッピングされることができる。例えば、端末に割り当てられたデータがリソースユニットインデックスＮからリソースユニットインデックスＭまでとすると、各リソースユニットのインデックスは、ダウンリンクＡＣＫチャネルインデックスと関連付けられることができる。リソースの粒度が一つのＰＲＵ(またはＬＲＵ)であり、システムの帯域幅が５ＭＨｚである場合、２４個のＡＣＫチャネルが必要である。
【００７９】
ＭＵ-ＭＩＭＯの場合、同じ無線リソースを端末がペアリング(pairing)して分けて使用することができる。端末が同一リソースユニットの割当を受けた場合、アップリンクパイロットパターン及び直交シーケンスのインデックスなどを介してお互いに異なるＡＣＫチャネルが指示されることができる。スケジューリング粒度を２リソースユニットまたはその以上のリソースユニットに付与することによって増加するＭＵ-ＭＩＭＯのデータストリームがサポートされることができる。ＭＵ-ＭＩＭＯのデータストリームが１/２リソースユニットを介して送信される場合、ダウンリンクＡＣＫチャネルのリソース量は、次のように定められることができる。
【００８０】
ダウンリンクＡＣＫチャネルのリソース量＝(ＭＵ-ＭＩＭＯデータストリーム＊１/２ＲＵ＊ｋ)/スケジューリンググ粒度
【００８１】
ここで、送信帯域幅は５ＭＨｚ、多重化率ｋ＝１になることができる。
【００８２】
帯域幅５ＭＨｚでダウンリンクＡＣＫチャネルに対する最小リソースユニットは、１/２分散的リソースユニットに対応されることができる。リソースユニットは、９サブキャリア及び６ＯＦＤＭシンボルを含むことができる。表１は、送信帯域幅別ＭＵ-ＭＩＭＯデータストリームに対するＡＣＫチャネルの最小リソースユニットの一例を示す。
【００８３】
【表１】
2011517383.tif 000003
【００８４】
ＡＣＫチャネルは、動的に割り当てられることができる。ダウンリンクデータ領域に割り当てられるＡＣＫ/ＮＡＣＫ信号の量に応じて多重化されるＡＣＫチャネルの数が調節されてダウンリンクＡＣＫチャネルに該当するリソースユニットに割り当てられることができる。多重化されるＡＣＫチャネルの数は、上位階層シグナリングを介して知られることができる。また、ＡＣＫチャネルは、電力ブースティング(power boosting)を考慮して割り当てられることができる。リソースユニットベースのＡＣＫ/ＮＡＣＫリンケージ方式は、アップリンクデータ送信をする端末が、該当システム帯域幅が提供するリソース要素を全て使用しない時は構成されたＡＣＫチャネルの一部チャネルにＡＣＫ/ＮＡＣＫ関連フィードバック情報が付加されないことがある。このようなチャネルの有する電力は、実際ＡＣＫ/ＮＡＣＫ関連フィードバック情報が付加されたチャネルに付加されることもある。
【００８５】
セル間干渉を減らすためにサブフレームでＡＣＫチャネル領域はセルＩＤに応じてシフトされることができる。
【００８６】
周波数パーティションを考慮してダウンリンクＡＣＫチャネルが割り当てられることができる。ダウンリンクＡＣＫチャネルは、周波数パーティション別に分かれて割り当てられることができる。または、全てのダウンリンクＡＣＫチャネルが特定周波数パーティションに割り当てられることができる。例えば、周波数再使用(frequency reuse)３である領域に全てのダウンリンクＡＣＫチャネルが割り当てられる、或いは周波数再使用２である領域に全てのダウンリンクＡＣＫチャネルが割り当てられる、或いは周波数再使用１である領域に全てのダウンリンクＡＣＫチャネルが割り当てられることができる。特定周波数パーティションに全体または一部のダウンリンクＡＣＫチャネルが割り当てられる時、これは基地局によって制御シグナリングを介して指示される、或いは基地局と端末との間に黙示的に指示されることができる。ダウンリンクＡＣＫチャネルの大きさは、周波数パーティション別に同一であってもよく、または異なってもよい。周波数パーティション別ダウンリンクＡＣＫチャネルの大きさは、基地局によって制御シグナリングを介して割り当てられる、或いは基地局と端末との間に黙示的に指示されることができる。制御シグナリングは、共用制御チャネル、ＢＣＨ、Ｐ-ＢＣＨまたはＳ-ＢＣＨなどを介して送信されることができる。
【００８７】
無線リソースにマッピングされるＡＣＫ/ＮＡＣＫ信号のシンボルは、ＭＩＭＯ方式にともなうエンコーディング(encoding)が実行されることができる(Ｓ１４０)。
【００８８】
図１１は、本発明の一実施例に係るＡＣＫチャネルのエンコーディングを示す。
【００８９】
図１１を参照すると、繰り返し率に応じて繰り返されるＡＣＫ/ＮＡＣＫ信号は、分散的リソースユニットでお互いに異なる周波数トーンに載せることができる。ＡＣＫ/ＮＡＣＫ信号が分散的リソースユニットでお互いに異なる周波数トーンに載せると、周波数ダイバーシティ利得を得ることができる。例えば、ＡＣＫ/ＮＡＣＫ信号がｍからｍ＋３まで４個ある時、各ＡＣＫ/ＮＡＣＫ信号は、繰り返し率２に応じて繰り返されて分散的リソースユニットでお互いに異なる周波数トーンに載せることができる。分散的リソースユニットに載せたＡＣＫ/ＮＡＣＫ信号は、ＳＦＢＣエンコーディングが実行されることができる。ＳＦＢＣは、空間的ダイバーシティ利得を得るに適する。ＳＦＢＣは、分散的リソースユニットで２個の連続するトーンをペアリングすることによってダイバーシティ利得を十分に得ることができる。
【００９０】
図１２は、本発明の一実施例に係る多重ユーザのＡＣＫチャネルのグループ化を示す。
【００９１】
図１２を参照すると、各ＡＣＫチャネルグループ(channel group)(Ｇｒ０乃至Ｇｒ１１)が４個のＡＣＫチャネル(ＡＣＫ ＣＨ０乃至３)で構成されると仮定する。最初のリソースユニット(RU)を基準としてＡＣＫチャネルグループとＡＣＫチャネルグループ内の構成要素ＡＣＫチャネルを指示する。
【００９２】
端末Ａは、リソースユニット＃２５乃至＃３１の割当を受けた場合、リソースブロックを基準とするＡＣＫ/ＮＡＣＫ信号をマッピングする方式に応じて端末ＡにＡＣＫチャネルグループインデックス０のＡＣＫチャネル３がマッピングされる。端末Ｂは、リソースユニット＃４２乃至＃４５の割当を受けた場合、端末ＢにＡＣＫチャネルグループインデックス６のＡＣＫチャネル０がマッピングされる。
【００９３】
ＡＣＫチャネルグループのインデックス、ＡＣＫチャネルグループ内の構成要素インデックス(component index)及び実際ＡＣＫチャネルインデックスは、次のように表現されることができる。
【００９４】
(１)ＡＣＫチャネルグループインデックス＝最初のリソースユニット(resource unit)インデックス％ＡＣＫチャネルグループ数
(２)構成要素インデックス＝[ｆｌｏｏｒ(ＰＲＢインデックス/ＡＣＫチャネルグループ数)]％ＡＣＫチャネルの数
(３)ＡＣＫチャネルインデックス＝ＡＣＫチャネルグループインデックス＋構成要素インデックス×ＡＣＫチャネルグループ数
【００９５】
ダウンリンクＡＣＫチャネルにＡＣＫ/ＮＡＣＫ信号をマッピングするためのリソースブロックは、次のように表現されることができる。(１)Ｍ×ｋ/Ｎ、ここで、Ｍは仮想ＭＩＭＯにおけるストリーム(stream)数、ｋはリソースユニットの数、Ｎはリソース割当粒度(granularity)である。リソースユニットの数ｋは、１０ＭＨｚ送信帯域を考慮する１６ｍシステムで４８になることができ、５ＭＨｚ送信帯域を考慮する時２４になることができる。(２)Ｍ×全体ＲＵ数/Ｎ
【００９６】
ダウンリンクＡＣＫチャネルは、周波数選択的ダイバーシティ(frequency selective diversity))を得るために分散的に割り当てられた(distributed allocation)リソースユニットにマッピングされる。即ち、ダウンリンクＡＣＫチャネルは、周波数領域で分散されるサブキャリアにマッピングされる。ダウンリンクＡＣＫチャネルのリソースマッピングは、ＦＤＭ方式によって分散的リソースユニット(distributed resource unit、DRU)にマッピングされることを基本とするが、これに制限されず、ダウンリンクＡＣＫチャネルは、局部的リソースユニット(localized resource unit)にマッピングされてもよい。ダウンリンクＡＣＫチャネルのリソースマッピングがＴＤＭ方式によって構成される時、Ｎ個のＯＦＤＭシンボルに周波数ダイバーシティを得るために任意の順列パターンに分散されることができる。
【００９７】
１６ｍシステムのダウンリンクＡＣＫチャネルの構成には小さいＳＦを繰り返して周波数領域に分散させる複合ＣＤＭ/ＦＤＭ方式と周波数ダイバーシティを得るためのＦＤＭ方式がある。１６ｍシステムのリソース割当、リソースユニットの構成、多様なＣＰ(cyclic prefix)大きさ、ＭＢＳ(multicast and broadcast service)類型及び多重搬送波などに応じて本発明の提案する方法によってＡＣＫチャネルが設計されることができる。
【００９８】
ダウンリンクＡＣＫチャネルの目標要求品質(target required quality)は、ＡＣＫ信号に対するＮＡＣＫエラー及びＮＡＣＫ信号に対するＡＣＫエラーを意味するものであり、１ｅ-４が基準になることができるが、システムで要求する任意の目標要求品質に取り替えられることができる。
【００９９】
複合ＣＤＭ/ＦＤＭ方式で、多重化性能を増加させながら、該当要求目標品質を満たす最大の多重化比率を探す。分散的リソースユニットへのマッピングを考慮する時、該当分散的リソースユニットに適用される順列にともなう、或いは現在１６ｍシステムで考慮される送信ダイバーシティ方式であるＳＦＢＣ(Space Frequency Block Code)のための２トーン単位のペアリング(paring)、１トーン単位の順列、及び多重トーン単位のクラスタ化(clustering)があることがある。各々のペアリングは、直交シーケンスの大きさ(例えば、拡散ファクタ)に影響を及ぼす。
【０１００】
図１３は、本発明の一実施例に係るＡＣＫチャネルグループの直交シーケンス結合を示す。
【０１０１】
図１３を参照すると、各ＡＣＫチャネルグループは、直交シーケンス(orthogonal sequence)に結合(combining)される。複数のユーザに対するＡＣＫチャネルが直交シーケンスに結合されて多重化されることができる。直交シーケンスの種類には制限がない。各ＡＣＫチャネルグループは、直交シーケンスによって８個のトーンに生成されることができる。ＡＣＫチャネルグループが割り当てられた８個のトーンは、分散的リソースユニット(DRU)に割り当てられることができる。ここでは直交シーケンスを介して各ＡＣＫチャネルグループが８個のトーンに生成されることを開示したが、多重化性能に応じてシーケンスの長さを異に定めることができ、生成されるトーンの数も変わることができる。
【０１０２】
図１４は、本発明の一実施例に係る分散的リソースユニットに割り当てられるＡＣＫチャネルを示す。
【０１０３】
図１４を参照すると、各ＡＣＫチャネルグループは、直交シーケンスに結合されて８個のトーンを介して分散的リソースユニット(または論理的リソースユニット；LRU)に割り当てられることができる。各ＡＣＫチャネルグループ別に生成された８個のトーンは、各々繰り返し単位４に分かれて分散的リソースユニットを構成するパイロットの近くに配置されることができる。他の３個のＡＣＫチャネルグループは、全てのＡＣＫチャネルグループの信頼度が同一に割り当てられる。ここで、パイロットの配置は、例示に過ぎず、多様なパイロットパターンが適用されることができる。もし、ＡＣＫチャネルのための無線リソースが足りない場合には一部パイロットをパンクチャリング(puncturing)してＡＣＫチャネルとして使用することができる。
【０１０４】
提示する方法に応じて多重化性能４を基準として拡散ファクタＳＦ＝２、Ｉ/Ｑチャネル多重化、ＢＰＳＫ変調方式及び繰り返し率４が導出された。ＱＰＳＫ変調方式、拡散ファクタＳＦ＝２、繰り返し率４を適用しても同じ結果を得ることができる。ＡＣＫチャネルの多重化性能には制限がなく、決定される多重化性能に応じてＡＣＫチャネルパラメータは多様に変更されることができる。
【０１０５】
ＡＣＫチャネルは、動的に割り当てられることができる。ダウンリンクデータ領域に割り当てられるＡＣＫ/ＮＡＣＫ信号の量に応じて多重化されるＡＣＫチャネルの数が調節されてダウンリンクＡＣＫチャネルに該当するリソースユニットに割り当てられることができる。チャネル状態にさらに強い品質のＡＣＫチャネルを構成するためにＡＣＫチャネルに対する無線リソースの粒度を調節して繰り返し率を高めることができて、これに伴いＡＣＫチャネルのチャネル品質を向上させることができる。
【０１０６】
図１５は、本発明の他の実施例に係る分散的リソースユニットに割り当てられるＡＣＫチャネルを示す。
【０１０７】
図１５を参照すると、ＦＤＭ方式でＫ個のＡＣＫチャネルが多重化される時、変調次数(modulation order)及び繰り返し回数は次のように表現される。変調次数は、全体ＡＣＫ/ＮＡＣＫ信号のビットから多重化率Ｋを割る値である。
【０１０８】
変調次数＝トーン当たりＡＣＫチャネルの数＝(全体ＡＣＫチャネルの数)/Ｋトーン
【０１０９】
繰り返し回数＝(サブキャリアの数−パイロットサブキャリアの数)/(全体ＡＣＫチャネル数/Ｋ)
【０１１０】
例えば、２個のＡＣＫチャネルを多重化する場合(多重化率Ｋ＝２)、ＱＰＳＫ変調方式で４８個のＡＣＫ/ＮＡＣＫ信号は、２４個のＡＣＫ/ＮＡＣＫ信号に多重化されることができる。繰り返し回数は、９６トーン(１０８個の全体サブキャリアの数−１２個のパイロットサブキャリアの数)/２４＝４になる。
【０１１１】
複合ＣＤＭ/ＦＤＭ方式でダウンリンクＡＣＫチャネル構成のように、論理リソースユニット(LRU)に時間領域から周波数領域にまたは周波数領域から時間領域の順序にＡＣＫチャネルが割り当てられることができる、また、提案する繰り返し率算出方法を介して求める繰り返し率単位別にＡＣＫチャネルの初めの部分からパイロットに隣接して配置されることができる。ＡＣＫチャネルの残りの部分は、各ダウンリンクＡＣＫチャネルに対するチャネル推定の信頼度が平均になるように分散的リソースユニットまたはリソースユニットに配置されることができる。
【０１１２】
２個のＡＣＫ/ＮＡＣＫ信号が４回繰り返して８ビットで構成された後、ＱＰＳＫ変調方式に変調されて分散的リソースユニットのＡＣＫチャネルに割り当てられれば、示したように配置されることができる。４個のトーンにかけて２個のＡＣＫ/ＮＡＣＫ信号が多重化されて、全体２４個の多重化されたＡＣＫチャネルが形成される。これは全体４個の同一な２４個の多重化されたＡＣＫチャネル単位が一つのＡＣＫチャネルグループを形成して優先的にパイロットの近くに配置される。残りの３個のＡＣＫチャネルグループは、チャネル推定にともなうチャネル状態が均一に割り当てられる。このようなＡＣＫチャネルの配置は、例示に過ぎず、１６ｍシステムの分散的リソースユニット構造の順列規則に応じてＡＣＫチャネルは、多様に分散されて配置されることができる。
【０１１３】
ＡＣＫチャネルは、動的に割り当てられることができる。チャネル状態によって強い品質のＡＣＫチャネルを構成するためにＡＣＫチャネルに対する無線リソースの粒度を調節して繰り返し率を高めることができて、これに伴いＡＣＫチャネルのチャネル品質を向上させることができる。
【０１１４】
<ダウンリンクＡＣＫチャネルの構造>
【０１１５】
図１６は、本発明の一実施例に係るダウンリンクＡＣＫチャネルの構造を示す。
【０１１６】
図１６を参照すると、ダウンリンクサブフレームとアップリンクサブフレームがお互いに異なる時間に配置されるＴＤＤ方式のフレームを仮定する。アップリンクサブフレームを介して送信されるデータに対するダウンリンクＡＣＫ/ＮＡＣＫ信号は、予め定められた遅延時間以後に送信される。即ち、ダウンリンクＡＣＫチャネルは、アップリンクサブフレームで予め定められた遅延時間以後のダウンリンクサブフレームに配置される。ＡＣＫチャネルは、ダウンリンクサブフレームで一部の周波数帯域を占めることができる。または、ＡＣＫチャネルは、ダウンリンクサブフレームで一部のＯＦＤＭシンボルと全体または一部の周波数帯域を占めることができる。
【０１１７】
ダウンリンクＡＣＫチャネルの位置は、各サブフレーム内の最も小さい論理的インデックスを有するリソースユニットから黙示的に指示されることができて、ダウンリンクＡＣＫチャネルは、指示されるリソースユニットに割り当てられることができる。ダウンリンクＡＣＫチャネルの位置は、各サブフレーム内の最初のＰＲＵで指示されることができて、ダウンリンクＡＣＫチャネルは、指示されるリソースユニットに割り当てられることができる。ダウンリンクＡＣＫチャネルの位置は、各周波数パーティション別に最初の論理的リソースユニットで指示されることができて、ダウンリンクＡＣＫチャネルは、指示されるリソースユニットに割り当てられることができる。ダウンリンクＡＣＫチャネルの位置は、黙示的に指示される、或いは制御シグナリングを介して明示的に指示されることができる。このとき、制御シグナリングは、共用制御チャネル、Ｐ-ＢＣＨ、Ｓ-ＢＣＨ、ＢＣＨ等を介して送信されることができる。
【０１１８】
リソースユニットベースのＡＣＫ/ＮＡＣＫリンケージ方式で端末が割当を受けたリソースユニットのうち一つまたは、一部または全体リソースユニットに該当するＡＣＫ/ＮＡＣＫ信号が離散フーリエ変換(Discrete Fourier Transform:ＤＦＴ)の入力値にマッピングされることができる。ＤＦＴの大きさは、Ｎの倍数である(Ｎは０より大きい２の倍数)。例えば、ＡＣＫチャネルの大きさを考慮してＮは４８になることができる。
【０１１９】
図１７は、本発明の他の実施例に係るダウンリンクＡＣＫチャネルの構造を示す。
【０１２０】
図１７を参照すると、ダウンリンクサブフレームとアップリンクサブフレームの比率がＤＬ：ＵＬ＝５：３であるＴＤＤ方式のフレームである。アップリンクサブフレームを介するデータに対するダウンリンクＡＣＫ/ＮＡＣＫ信号の遅延時間が４サブフレームに定められると仮定する。アップリンクサブフレーム１(ＵＬ１)を介するデータ送信に対するＡＣＫ/ＮＡＣＫ信号は、ダウンリンクサブフレーム２(ＤＬ２)を介して送信されて、アップリンクサブフレーム２(ＵＬ２)を介するデータ送信に対するＡＣＫ/ＮＡＣＫ信号は、ダウンリンクサブフレーム３(ＤＬ３)を介して送信されて、アップリンクサブフレーム３(ＵＬ３)を介するデータ送信に対するＡＣＫ/ＮＡＣＫ信号は、ダウンリンクサブフレーム４(ＤＬ４)を介して送信される。
【０１２１】
図１８は、本発明の他の実施例に係るダウンリンクＡＣＫチャネルの構造を示す。
【０１２２】
図１８を参照すると、ダウンリンクサブフレームとアップリンクサブフレームの比率がＤＬ：ＵＬ＝４：４であるＴＤＤ方式のフレームである。アップリンクサブフレームを介するデータに対するダウンリンクＡＣＫ/ＮＡＣＫ信号の遅延時間が４サブフレームに定められると仮定する。アップリンクサブフレーム１(ＵＬ１)を介するデータ送信に対するＡＣＫ/ＮＡＣＫ信号は、ダウンリンクサブフレーム１(ＤＬ１)を介して送信されて、アップリンクサブフレーム２(ＵＬ２)を介するデータ送信に対するＡＣＫ/ＮＡＣＫ信号は、ダウンリンクサブフレーム２(ＤＬ２)を介して送信されて、アップリンクサブフレーム３(ＵＬ３)を介するデータ送信に対するＡＣＫ/ＮＡＣＫ信号は、ダウンリンクサブフレーム３(ＤＬ３)を介して送信されて、アップリンクサブフレーム４(ＵＬ４)を介するデータ送信に対するＡＣＫ/ＮＡＣＫ信号は、ダウンリンクサブフレーム４(ＤＬ４)を介して送信される。
【０１２３】
前述したＴＤＤ方式のフレームでダウンリンクサブフレーム及びアップリンクサブフレームの比率は、７：１、６：２、５：３、４：４、３：５、２：６、１：７等、多様に決定されることができて、多様な構造のフレームで予め定められるＡＣＫ/ＮＡＣＫ信号の遅延時間を考慮してＡＣＫチャネルを配置することができる。予め定められるＡＣＫ/ＮＡＣＫ信号の遅延時間は、基地局と端末が事前に知っている時間であってもよく、または基地局が端末にＡＣＫ/ＮＡＣＫ信号の遅延時間を知らせてもよい。
【０１２４】
表２は、アップリンクフレーム及びダウンリンクフレームの構成にともなうＡＣＫ/ＮＡＣＫ信号の遅延値の一例を示す。
【０１２５】
【表２】
2011517383.tif 000004
【０１２６】
表３は、アップリンクフレーム及びダウンリンクフレームの構成にともなうＡＣＫ/ＮＡＣＫ信号の遅延値の他の例を示す。
【０１２７】
【表３】
2011517383.tif 000005
【０１２８】
図１９は、本発明の他の実施例に係るダウンリンクＡＣＫチャネルの構造を示す。図２０は、本発明の他の実施例に係るダウンリンクＡＣＫチャネルの構造を示す。図２１は、本発明の他の実施例に係るダウンリンクＡＣＫチャネルの構造を示す。図２２は、本発明の他の実施例に係るダウンリンクＡＣＫチャネルの構造を示す。
【０１２９】
図１９乃至図２２を参照すると、図１９は、ダウンリンクサブフレームとアップリンクサブフレームの比率(ratio)がＤＬ：ＵＬ＝５：３であるＴＤＤ方式のフレームである。図２０は、ダウンリンクサブフレームとアップリンクサブフレームの比率がＤＬ：ＵＬ＝６：２であるＴＤＤ方式のフレームである。図２１は、ダウンリンクサブフレームとアップリンクサブフレームの比率がＤＬ：ＵＬ＝３：５であるＴＤＤ方式のフレームである。図２２は、ダウンリンクサブフレームとアップリンクサブフレームの比率がＤＬ：ＵＬ＝６：２であるＴＤＤ方式のフレームである。
【０１３０】
ＴＤＤ方式のフレームでダウンリンクサブフレーム及びアップリンクサブフレームの比率が多様に決定されることによって、示したようにＡＣＫ/ＮＡＣＫ信号の遅延時間を考慮してＡＣＫチャネルを配置することができる。ＡＣＫ/ＮＡＣＫ信号の遅延時間は、基地局と端末が事前に知っている時間であってもよく、または基地局が端末にＡＣＫ/ＮＡＣＫ信号の遅延時間を知らせてもよい。
【０１３１】
表４は、ダウンリンクフレームとアップリンクフレームの構成にともなうＨＡＲＱチャネル数の一例を示す。
【０１３２】
【表４】
2011517383.tif 000006
【０１３３】
図２３は、本発明の他の実施例に係るダウンリンクＡＣＫチャネルの構造を示す。ダウンリンクＡＣＫチャネルが周波数領域に配置される場合である。
【０１３４】
図２３を参照すると、ダウンリンクＡＣＫチャネルは、サブフレームから周波数領域に優先的に配置されることができる。サブフレームの最初のＯＦＤＭシンボル(symbol)にはサブＭＡＰ(sub-MAP)が割り当てられることができる。サブＭＡＰは、サブフレームに含まれるリソースユニットの構成情報または割当情報などを含む。サブＭＡＰは、周波数領域に一部または全体周波数帯域を占めることができる。ダウンリンクＡＣＫチャネルは、サブＭＡＰに連続して周波数領域に配置されることができる。
【０１３５】
サブＭＡＰは、サブフレーム含まれるＡＣＫチャネルの割当情報を含むことができる。ダウンリンクＡＣＫチャネルとして端末に割り当てられた領域及び端末の数等に対する情報を獲得することによって、端末は、自分のＡＣＫ/ＮＡＣＫ信号を正確に受信することができる。ＡＣＫチャネルの割当情報がなければ、端末は、自分に割り当てられたＡＣＫチャネルの領域を探すのに難しさがあることがある。このためにサブＭＡＰにＡＣＫチャネルの割当情報が含まれる。サブＭＡＰの領域とＡＣＫチャネルの領域は、お互いに重ならないことが望ましい。
【０１３６】
ＡＣＫチャネルの割当情報によるシグナリングオーバーヘッドを減らすためにＡＣＫチャネルは、基地局と端末がお互いに知っている位置に黙示的にマッピングされることもできる。ＨＡＲＱの運営において、無線リソース割当メッセージを介してＡＣＫチャネルに対する情報を提供する、或いはＡＣＫ信号は送らずＮＡＣＫ信号のみを送ることもできる。無線リソース割当メッセージには端末に割り当てられたＡＣＫチャネルを指示するための追加的なシグナリングが要求されることができる。
【０１３７】
図２４は、本発明の他の実施例に係るダウンリンクＡＣＫチャネルの構造を示す。ダウンリンクＡＣＫチャネルが周波数領域に配置される場合である。
【０１３８】
図２４を参照すると、ダウンリンクＡＣＫチャネルがサブＭＡＰに連続して周波数領域に優先的に配置されることができる。サブＭＡＰはサ、ブフレームに含まれるリソースユニットに対する情報及びＡＣＫチャネルに対する情報を含む。
【０１３９】
ダウンリンクＡＣＫチャネルが周波数領域に配置されれば、(１)端末の移動性に対して強く、(２)周波数ダイバーシティ利得を得ることができて、(３)３ＧＰＰ ＬＴＥシステムとの互換可能性が大きくなる長所がある。然しながら、(１)ＡＣＫチャネル領域を指示するための追加的なシグナリングオーバーヘッドが発生して、(２)リソースユニットの大きさが変わってリソースユニットの割当に難しい点が生じる短所がある。
【０１４０】
図２５は、本発明の他の実施例に係るダウンリンクＡＣＫチャネルの構造を示す。ダウンリンクＡＣＫチャネルが時間領域に配置される場合である。
【０１４１】
図２５を参照すると、サブフレームのダウンリンクＡＣＫチャネルは、少なくとも一つのリソースユニットを含むことができる。即ち、ダウンリンクＡＣＫチャネルは、少なくとも一つのリソースユニットに割り当てられることができる。サブフレームにはサブＭＡＰが含まれることができて、サブＭＡＰにダウンリンクＡＣＫチャネル領域の位置情報が含まれることができる。ダウンリンクＡＣＫチャネルは、任意のリソースユニットに割り当てられることができる。または、ダウンリンクＡＣＫチャネルは、予め定められたリソースユニットに割り当てられることができて、このような場合にはサブＭＡＰを介してダウンリンクＡＣＫチャネル領域の位置を指示する必要がない。
【０１４２】
図２６は、本発明の他の実施例に係るダウンリンクＡＣＫチャネルの構造を示す。ダウンリンクＡＣＫチャネルが時間領域に配置される場合である。
【０１４３】
図２６を参照すると、ダウンリンクＡＣＫチャネルがサブフレームの中間部分のリソースユニットに割り当てられるのを示す。
【０１４４】
ダウンリンクＡＣＫチャネルが少なくとも一つのリソースユニットに割り当てられれば、(１)ＡＣＫチャネル領域の位置が黙示的に指示されることができ、(２)データ領域と制御領域を分離して構成することができ、(３)信頼度の高いリソースユニットにＡＣＫチャネルを割り当てることができ、(４)リソースユニットの大きさを同一に維持させることができる長所がある。然しながら、(１)端末の処理遅延を考慮したＡＣＫチャネルの配置利得を得ることができず、(２)特定順列方式に制限される短所がある。
【０１４５】
図２７は、本発明の他の実施例に係るダウンリンクＡＣＫチャネルの構造を示す。リソースユニットをパンクチャリングしてＡＣＫチャネルとして用いる場合である。
【０１４６】
図２７を参照すると、サブフレームのリソースユニットに含まれるトーンの一部がパンクチャリング(puncturing)されて、論理的ダウンリンクＡＣＫチャネルがパンクチャリングされたトーンにマッピングされることができる。パンクチャリングされたトーンが物理的ダウンリンクＡＣＫチャネルとして使われる。一つのＯＦＤＭシンボル上でトーンがパンクチャリングされることができる。論理的ダウンリンクＡＣＫチャネルを構成してＡＣＫチャネルの構成要素を一つのＯＦＤＭシンボル上のパンクチャリングされたトーンにマッピングする。
【０１４７】
リソースユニットのトーンを一つのＯＦＤＭシンボル上でパンクチャリングしてダウンリンクＡＣＫチャネルとして使用するようになれば、図２３または図２４のようにダウンリンクＡＣＫチャネルが周波数領域に配置される構成で発生する短所を補完することができる。周波数選択的ダイバーシティ利得を得ることができて、リソースユニットの大きさを一定に維持することができる。
【０１４８】
図２８は、本発明の他の実施例に係るダウンリンクＡＣＫチャネルの構造を示す。リソースユニットをパンクチャリングしてＡＣＫチャネルとして用いる場合である。
【０１４９】
図２８を参照すると、リソースユニットのトーンを一つのＯＦＤＭシンボル上でパンクチャリングしてダウンリンクＡＣＫチャネルとして使用する時、ＡＣＫ/ＮＡＣＫ信号の繰り返しを介してさらに信頼性のあるＡＣＫチャネルが構成されることができる。ＡＣＫチャネルリソースの性能を向上させるためにＣＤＭ方式が適用されることができる。即ち、複数のＡＣＫ/ＮＡＣＫ信号が直交シーケンスに区分されて物理的ＡＣＫチャネルにマッピングされることができる。スケーラブル(scalable)サブＭＡＰに対して電力ブースティング(power boosting)が実行されることができる。速い時間選択的チャネルに対する一層強さが提供されることができる。
【０１５０】
図２９は、本発明の一実施例に係るＣＱＩフィードバックに基づくＨＡＲＱモードに対するリソース割当を示す。
【０１５１】
図２９を参照すると、端末はダウンリンク参照信号(reference signal)またはパイロットを受信してダウンリンクのチャネル状態を測定することができる。端末は、測定されたチャネル状態を示すＣＱＩ(channel quality indicator)を基地局にフィードバック(feedback)する。基地局は、ＣＱＩを介してチャネル状態を把握することができ、チャネル状態に応じてコード率、変調次数などが決定される。コード率、変調次数及びフレームの大きさに応じてＨＡＲＱモードに対するリソース割当が変わることができる。即ち、基地局は、フィードバックされるＣＱＩに基づくＨＡＲＱモードに対するリソース割当を決定することができる。
【０１５２】
端末１が良いチャネル状態を指示するＣＱＩをフィードバックすると、高いコード率及び高い変調次数が選択される。高いコード率及び高い変調次数にさらに有利なＩＲモードのＨＡＲＱ方式が使われる。ＩＲモードのＨＡＲＱ方式ではサブパケットＩＤ(subpacket ID、SPID)がデータ再送信過程で変更される。強化されたＩＲモードのＨＡＲＱがサポートされることができる。ＣＱＩが指示するチャネル状態の良悪は予め定められたＣＱＩレベルを基準として決定されることができて、基準ＣＱＩレベルは、システムに応じて多様に定められることができる。
【０１５３】
端末２が良くないチャネル状態を指示するＣＱＩをフィードバックすると、低いコード率及び低い変調次数が選択される。低いコード率及び低い変調次数により有利なＣＣモードのＨＡＲＱ方式が使われる。ＣＣモードのＨＡＲＱ方式ではサブパケットIDがデータ再送信過程で固定になる。強化されたＣＣモードのＨＡＲＱがサポートされることができる。
【０１５４】
図３０は本発明の他の実施例に係るダウンリンクＡＣＫチャネルの構成を示す。
【０１５５】
図３０を参照すると、フレームが５個のダウンリンクサブフレーム及び３個のアップリンクサブフレームを含むと仮定する。各ダウンリンクサブフレームにはサブＭＡＰが割り当てられることができる。各サブフレームには複数のリソースブロック(resource block)が含まれることができる。リソースブロックは、最小リソース割当単位を意味する。リソースブロックは、リソースユニットに対応されることができる。ＡＣＫチャネルは、ダウンリンクサブフレームの任意のリソースブロックに割り当てられることができる。ＡＣＫチャネルは、ダウンリンクサブフレームごとに割り当てられてもよく、一部ダウンリンクサブフレームに割り当てられてもよい。
【０１５６】
ダウンリンクＡＣＫチャネルが物理的リソースブロックにマッピングされる時、ダウンリンクＡＣＫチャネルがマッピングされるリソースブロックの位置、リソースブロック内でダウンリンクＡＣＫチャネルの位置及び大きさ、多重化されたＡＣＫチャネルを区分するためのパラメータなどに対する情報が必要である。ＡＣＫチャネルのマッピング情報を効果的に知らせる方法としては、圧縮(compression)方法がある。
【０１５７】
図３１は、本発明の一実施例に係るダウンリンクＡＣＫチャネルを割り当てる方法を示す。
【０１５８】
図３１を参照すると、圧縮方法は、アップリンクサブフレームに含まれる複数のリソースブロックの各々に対するＡＣＫ/ＮＡＣＫ信号を減らして表現する方法である。永続的スケジューリング(persistent scheduling)及び動的スケジューリング(dynamic scheduling)を区分して複数のリソースブロックの各々に対するＡＣＫ/ＮＡＣＫ信号を減らすことができる。ＡＣＫ/ＮＡＣＫ信号を減らすにおいて、端末からフィードバックされるＣＱＩを考慮することができる。
【０１５９】
アップリンクサブフレームの複数のリソースブロックの各々に対するＡＣＫチャネルは、圧縮方法に応じてダウンリンクサブフレームで少なくとも一つのリソースブロックを占めるダウンリンクＡＣＫチャネルにマッピングされる。
【０１６０】
図３２は、本発明の一実施例に係るＡＣＫチャネルに対する圧縮方法を示す。
【０１６１】
図３２を参照すると、無線リソースのスケジューリング類型には永続的スケジューリングと動的スケジューリングがある。永続的スケジューリングは、一定時間の間に定められたリソース領域を一つのユーザに持続的に割り当てる方式であり、動的スケジューリングは、制御情報を介してリソース領域を複数のユーザに変動的に割り当てる方式である。一般的にＶｏＩＰ(Voice over Internet Protocol)サービスを用いるユーザ(以下、ＶｏＩＰユーザ)に対して永続的スケジューリングが実行されて、ＶｏＩＰサービスを用いないユーザ(以下、ｎｏｎ-ＶｏＩＰユーザ)に対しては動的スケジューリングが実行される。一つのサブフレーム内でＶｏＩＰサービスを用いるユーザ及びＶｏＩＰサービスを用いないユーザに無線リソースを割り当てることができる。即ち、一つのサブフレーム内で永続的スケジューリングと動的スケジューリングが実行されることができる。
【０１６２】
永続的スケジューリングが実行されるリソースブロックと動的スケジューリングが実行されるリソースブロックを区分して圧縮ベースのグループ化(compression-based grouping)を実行する。永続的スケジューリングが実行されるリソースブロックに対するＡＣＫチャネルグループと動的スケジューリングが実行されるリソースブロックに対するＡＣＫチャネルグループが区分されることができる。
【０１６３】
永続的スケジューリングに応じてＶｏＩＰユーザには時間的に常に一つ以上のリソースブロックが割り当てられて、一つ以上のリソースブロックに対して一つのＡＣＫチャネルを割り当てることができるため、ＡＣＫ/ＮＡＣＫ信号によるオーバーヘッドを減らすことができる。即ち、複数のサブフレームを介して実行されるＶｏＩＰサービスに対して一部サブフレームまたは全体サブフレームに対するＡＣＫ/ＮＡＣＫ信号が省略されてＡＣＫ/ＮＡＣＫ信号によるオーバーヘッドを減らすことができる。
【０１６４】
動的スケジューリングで一つのサブフレーム内で非ＶｏＩＰユーザには複数のリソースブロックが割り当てられることができる。非ＶｏＩＰユーザに割り当てられる複数のリソースブロックに対して最初のリソースブロックに対するＡＣＫ/ＮＡＣＫ信号のみを送ることができて、最初のリソースブロックに対するＡＣＫ/ＮＡＣＫ信号が黙示的に残りのリソースブロックに対するＡＣＫ/ＮＡＣＫを示すことができる。または、動的スケジューリングに使われるリソースブロックの大きさを永続的スケジューリングに使われるリソースブロックの大きさとは異に定めてＡＣＫチャネルを圧縮することができる。例えば、永続的スケジューリングに使われるリソースブロックは、周波数領域に１２サブキャリアを含み、動的スケジューリングに使われるリソースブロックは、周波数領域に２４サブキャリアを含むことができる。一つのリソースブロックに対して一つのＡＣＫチャネルが割り当てられるため、リソースブロックの大きさが大きくなるほどＡＣＫチャネルの数が減る。リソースブロックの粒度に応じてＡＣＫチャネルは、高い割合で圧縮されることができる。然しながら、スケジューリング側面でリソースブロックの粒度を調節することには制限があることがある。
【０１６５】
図３３は、本発明の他の実施例に係るＡＣＫチャネルに対する圧縮方法を示す。
【０１６６】
図３３を参照すると、永続的スケジューリング及び動的スケジューリングを区分してＡＣＫチャネルに対して圧縮ベースのグループ化を実行するにおいて、端末からフィードバックされるＣＱＩを考慮して２以上のリソースブロックが割り当てられるユーザに対するＡＣＫ/ＮＡＣＫ信号の繰り返し率が決定されることができる。端末からフィードバックされるＣＱＩが良くないチャネル状態を示す場合、ＡＣＫチャネルの信頼性のためにＡＣＫ/ＮＡＣＫ信号が繰り返されてマッピングされることができる。例えば、２個のリソースブロックが割り当てられた非ＶｏＩＰユーザのＣＱＩが定められた閾値以下であると、ＡＣＫチャネルの信頼性のために２個のＡＣＫチャネルを割り当ててＡＣＫ/ＮＡＣＫ信号が繰り返して送信されるようにすることができる。
【０１６７】
ＣＱＩを考慮した圧縮ベースのグループ化は、リソース割当単位が予め定められた場合、効果的である。然しながら、スケジューリング側面でリソース割当単位の粒度を調節することには制限がある。
【０１６８】
図３４は、本発明の一実施例に係る制御情報を用いたＡＣＫチャネルのマッピングを示す。
【０１６９】
図３４を参照すると、アップリンクサブＭＡＰは、アップリンクサブフレームまたはダウンリンクサブフレームで端末に割り当てられる無線リソースの大きさ及び位置情報を含む。端末に割り当てられた無線リソースの大きさ及び位置情報からＡＣＫ/ＮＡＣＫ信号を各ダウンリンクサブＭＡＰと連関させることができる。即ち、各端末に割り当てられるダウンリンクサブＭＡＰを介して該当端末に対するＡＣＫ/ＮＡＣＫ信号が送信されることができる。各アップリンクサブＭＡＰに対して関連付けられるＡＣＫ/ＮＡＣＫ信号はダウンリンクＡＣＫチャネルにマッピングされる。ダウンリンクＡＣＫチャネルの構成が各端末に対するアップリンクサブＭＡＰを介して送信されるため、ＡＣＫ/ＮＡＣＫ信号送信によるオーバーヘッドが減って追加的な圧縮方法を使用しなくてもよい。然しながら、永続的スケジューリングを適用して無線リソースに対する制御情報を要求しないＶｏＩＰユーザの場合には制御情報を介してＡＣＫ/ＮＡＣＫ信号を送信する方式を適用することができず、サブＭＡＰを使用しないシステムの場合にも制御情報を用いてＡＣＫ/ＮＡＣＫ信号を送信する方式を適用することができない難しさがある。
【０１７０】
図３５は、本発明の他の実施例に係る制御情報を用いたＡＣＫチャネルのマッピングを示す。
【０１７１】
図３５を参照すると、制御情報を用いてＡＣＫ/ＮＡＣＫ信号を送信する方式を用いる時、端末がフィードバックするＣＱＩを適用してＡＣＫ/ＮＡＣＫ信号を繰り返してＡＣＫチャネルを構成することができる。チャネル状態が良くない時、ＡＣＫ/ＮＡＣＫ信号を繰り返してＡＣＫチャネルにマッピングさせることによってＡＣＫチャネルの信頼性を確保することができる。
【０１７２】
図３６は、本発明の一実施例に係るサブＭＡＰの送信を示す。
【０１７３】
図３６を参照すると、動的スケジューリングが適用される非ＶｏＩＰユーザに対するアップリンクサブＭＡＰは、スーパーフレームで全てのフレームごとに送信される反面、永続的スケジューリングが適用されるＶｏＩＰユーザに対するアップリンクサブＭＡＰは、スーパーフレームで一つのフレームのみを介して送信されることができる。例えば、２０ｍｓスーパーフレームに４個の５ｍｓフレームが含まれる時、ＶｏＩＰユーザに対するアップリンクサブＭＡＰは、最初のフレームのみを介して送信されて、非ＶｏＩＰユーザに対するアップリンクサブＭＡＰは、５ｍｓフレームごとに送信されることができる。フレーム内には複数のサブフレームが含まれ、アップリンクサブＭＡＰは、フレーム内の任意のサブフレームに含まれる、或いは全てのサブフレームに含まれることができる。
【０１７４】
ＶｏＩＰユーザに対しては永続的スケジューリングが適用されるため、ＨＡＲＱのための別途の制御情報が要求されない同期式ＨＡＲＱ方式及び非適応的ＨＡＲＱ方式が適用されることができる。また、永続的スケジューリングではアップリンクデータに対する制御情報が要求されない。従って、アップリンクサブＭＡＰを用いてＡＣＫ/ＮＡＣＫ信号を送信する方式を適用することに難しい点がある。動的スケジューリングを適用するユーザに対しては、アップリンクサブＭＡＰを用いてＡＣＫ/ＮＡＣＫ信号を送信する方式を適用して、永続的スケジューリングを適用するユーザに対しては、圧縮ベースのグループ化を用いてＡＣＫ/ＮＡＣＫ信号を送信する方式を適用することができる。
【０１７５】
図３７は、本発明の一実施例に係るチャネル推定方式にともなうシステム性能を比較したグラフである。図３８は、本発明の他の実施例に係るチャネル推定方式にともなうシステム性能を比較したグラフである。図３９は、本発明の他の実施例に係るチャネル推定方式にともなうシステム性能を比較したグラフである。
【０１７６】
図３７乃至図３９を参照すると、表５のパラメータを仮定してシステム性能をＳＮＲ(Signal to Noise Rate)に対するＢＥＲ(Bit Error Rate)で表す。図３７は、移動速度３０ｋｍ/ｈの時、ＡＣＫチャネルの数にともなう完全（perfect）及び２Ｄウィーナー（wiener）のチャネル推定方式を比較したものであって、図３８は、移動速度１５０ｋｍ/ｈの時、ＡＣＫチャネルの数にともなう完全及び２Ｄウィーナーのチャネル推定方式を比較したものであって、図３９は、移動速度３ｋｍ/ｈの時、ＡＣＫチャネルの数にともなう完全及び２Ｄウィーナーのチャネル推定方式を比較したものである。
【０１７７】
【表５】
2011517383.tif 000007
【０１７８】
ダウンリンクＡＣＫチャネルの送信が、リソース割当及び電力制御のような他のユーザ特定制御チャネルより高い要求水準を有し、ブロードキャストチャネルよりは低い要求水準(１ｅ-２ＦＥＲ)を有すると仮定する時、ダウンリンクＡＣＫチャネルは、１ｅ-４乃至１e-３ＢＥＲの性能を有することが分かる。
【０１７９】
１０ＭＨｚシステム帯域幅を有する無線通信システムにセクタ当たり５０名の活性化ユーザが存在して、無線接続遅延が５０ｍｓであり、ＨＡＲＱ再送信が１０％発生する場合、ＶｏＩＰユーザサポートに基づいて一つのサブフレームに割り当てられる端末の最大数は略１３.８である。もし、ソースビット率(source bit rate)が１２.２ｋｂｐｓであり、２０ｍｓエンコーダフレームが考慮されれば、ＶｏＩＰリソース割当のために端末当たり少なくとも２リソースユニットが要求される。
【０１８０】
図４０は、本発明の一実施例に係るＣＣ(Chase Combining)及びＩＲ(Incremental Redundancy)モードの性能を比較したグラフである。図４１は、本発明の他の実施例に係るＣＣ(Chase Combining)及びＩＲ(Incremental Redundancy)モードの性能を比較したグラフである。
【０１８１】
図４０及び図４１を比較すると、図４０は、移動速度３０ｋｍ/ｈ、ＱＰＳＫ変調方式、フレームの大きさ(frame size)９６０ビットである時、１/３ＣＴＣ(Convolutional Turbo Code)及び１/２ＣＴＣのＣＣモード、及びＩＲモードのＨＡＲＱでＳＮＲ(Signal to Noise Rate)に対するＦＥＲ(Frame Error Rate)を示す。図４１は、移動速度３０ｋｍ/ｈ、１６ＱＡＭ変調方式、Ｎｅｐ２８８０ビットである時、１/４ＣＴＣ、１/２ＣＴＣ及び３/４ＣＴＣのＣＣモード、及びＩＲモードのＨＡＲＱでＳＮＲに対するＦＥＲを示す。Ｎｅｐは、ＣＴＣターボエンコーダで入力されるビット数であり、エンコーディングされたパケットの大きさで定義されるパラメータである。
【０１８２】
ＣＣモードは、ＩＲモードと比較して低いコーディング利得を有するが、バッファ(buffer)性能に対する要求が最小化される。ＩＲモードは、ＣＣモードと比較して高いコーディング利得を有する反面、バッファ管理側面で高い実行オーバーヘッド(implementation overhead)が発生する。
【０１８３】
以下、アップリンクＡＣＫチャネルに対して説明する。
【０１８４】
<アップリンクＡＣＫチャネル構成>
【０１８５】
図４２は、フレーム構成にともなうダウンリンクＨＡＲＱで処理遅延の一例を示す。ダウンリンクＨＡＲＱは、基地局からダウンリンクデータが送信されて、これに対するＡＣＫ/ＮＡＣＫ信号がアップリンクに送信される方式である。
【０１８６】
図４２を参照すると、フレームが５個のダウンリンクサブフレーム(ＤＬ)及び３個のアップリンクサブフレーム(ＵＬ)で構成されると仮定する。即ち、一つのフレーム内に含まれるダウンリンクサブフレーム及びアップリンクサブフレームの比率がＤＬ：ＵＬ＝５：３とする。ダウンリンクサブフレームの集合をダウンリンク領域(downlink region)といい、アップリンクサブフレームの集合をアップリンク領域(uplink region)という。フレーム内でダウンリンク領域とアップリンク領域との比率が５：３になる。
【０１８７】
基地局がデータの処理に必要な時間である基地局処理遅延(BS processing delay)が２サブフレームであり、端末がデータの処理に必要な時間である端末処理遅延(UE processing delay)が２サブフレームとする。このとき、２サブフレームは、２ＴＴＩ＝１.２３ｍｓと仮定する。ダウンリンクサブフレーム及びアップリンクサブフレームの比率がＤＬ：ＵＬ＝５：３であるフレーム構造で一つのフレーム内にＡＣＫチャネルを構成するための平均ＲＴＴは６.６ＴＴＩ＝４.０５９ｍｓになる。ＤＬ１サブフレームを介するデータ送信に対するＡＣＫ/ＮＡＣＫ信号は、ＵＬ１サブフレームを介して送信されるため、３サブフレームほどの追加的遅延(additional delay)が発生して全体ＲＴＴは８ＴＴＩになる。追加的遅延は、ＡＣＫ/ＮＡＣＫ信号の送信にかかる時間を含むことであり、最小１サブフレームの大きさを有することができる。ＤＬ２サブフレームを介するデータ送信に対するＡＣＫ/ＮＡＣＫ信号は、ＵＬ１サブフレームを介して送信されるため、２サブフレームほどの追加的遅延が発生して全体ＲＴＴは７ＴＴＩになる。ＤＬ３サブフレームを介するデータ送信に対するＡＣＫ/ＮＡＣＫ信号は、ＵＬ１サブフレームを介して送信されて１サブフレームほどの追加的遅延が発生して全体ＲＴＴは６ＴＴＩになる。ＤＬ４サブフレームを介するデータ送信に対するＡＣＫ/ＮＡＣＫ信号は、ＵＬ２サブフレームを介して送信されて１サブフレームほどの追加的遅延が発生して全体ＲＴＴは６ＴＴＩになる。ＤＬ５サブフレームを介するデータ送信に対するＡＣＫ/ＮＡＣＫ信号は、ＵＬ３サブフレームを介して送信されて１サブフレームほどの追加的遅延が発生して全体ＲＴＴは６ＴＴＩになる。従って、ＤＬ１乃至５サブフレームを介するダウンリンクデータ送信に対する平均ＲＴＴは６.６ＴＴＩになり、これに対するアップリンクＡＣＫチャネルは一つのフレーム内に構成されることができる。
【０１８８】
ここでは１ＴＴＩを０.６１５ｍｓと表したが、これは例示に過ぎず、ＴＴＩの大きさは制限されなく、システムに応じて多様に決定されることができる。例えば、一つのサブフレームは１ｍｓの大きさを有することができ、即ち１ＴＴＩ＝１ｍｓになることができ、基地局及び端末の処理遅延が２ｍｓになれば、ダウンリンクサブフレーム及びアップリンクサブフレームの比率がＤＬ：ＵＬ＝５：３であるフレーム構造で平均ＲＴＴは６.６ＴＴＩになる。
【０１８９】
図４３は、本発明の一実施例に係るアップリンクＡＣＫチャネルの構成を示す。図４４は、本発明の他の実施例に係るアップリンクＡＣＫチャネルの構成を示す。図４３のＡＣＫチャネル及び図４４のＡＣＫチャネルは、周波数領域でお互いに異なる位置を占める。
【０１９０】
図４３及び図４４を参照すると、アップリンクＡＣＫチャネルは、アップリンク無線リソースで時間領域(time domain)で構成されることができる。一つのフレーム内に含まれるダウンリンクサブフレーム及びアップリンクサブフレームの比率がＤＬ：ＵＬ＝５：３の時、アップリンクＡＣＫチャネルは、時間領域で３個のアップリンクサブフレームを含み、周波数領域(frequency domain)で少なくとも一つの論理的チャネルを含むことができる。一つの論理的チャネルは、複数のサブキャリアを含む。例えば、論理的チャネルは、少なくとも一つの論理的リソースユニットを含むことができる。論理的チャネルは、ＰＲＵに対応することができる。論理的チャネルは、周波数領域で１８個のサブキャリアを含むことができる。
【０１９１】
アップリンクＡＣＫチャネルは、論理的周波数領域で任意の位置に割り当てられることができて、物理的周波数領域で分散的(distributed)または局地的(localized)にマッピングされることができる。
【０１９２】
一つのフレーム内に含まれるダウンリンクサブフレーム及びアップリンクサブフレームの比率がＤＬ：ＵＬ＝５：３の時、アップリンクＡＣＫチャネルが時間領域にＵＬ１乃至３サブフレームにかけて構成されれば、ＤＬ１乃至５サブフレームを介するデータ送信に対するＡＣＫ/ＮＡＣＫ信号が一つのフレーム内で送信されることができる。即ち、一つのフレーム内に一つのアップリンクＡＣＫチャネルが構成されて、ダウンリンクデータ送信に対する全てのＡＣＫ/ＮＡＣＫ信号を一つのアップリンクＡＣＫチャネルを介して送信することができる。一つのフレーム内でダウンリンクデータの送信及びこれに対するＡＣＫ/ＮＡＣＫ信号が送信されることができるため、ＡＣＫ/ＮＡＣＫ信号の送信遅延を最小化することができる。また、端末の性能やセル内の位置に応じて端末の処理遅延または追加的遅延が変わることができ、ＡＣＫチャネルを時間領域に構成することによって処理遅延に対して柔軟なＡＣＫチャネルが構成されることができる。
【０１９３】
図４５は、本発明の他の実施例に係るアップリンクＡＣＫチャネルの構成を示す。図４６は、本発明の他の実施例に係るアップリンクＡＣＫチャネルの構成を示す。図４５のＡＣＫチャネル及び図４６のＡＣＫチャネルは、お互いに異なる比率の１６ｅＡＣＫチャネル及び１６ｍＡＣＫチャネルで構成される。
【０１９４】
図４５及び図４６を参照すると、アップリンクＡＣＫチャネルは、１６ｅＡＣＫチャネル及び１６ｍＡＣＫチャネルを含む。１６ｅＡＣＫチャネル及び１６ｍＡＣＫチャネルは、時間領域に区分されることができる。１６ｅＡＣＫチャネルが１６ｍＡＣＫチャネルより時間領域において以前であると表したが、１６ｍＡＣＫチャネルが１６ｅＡＣＫチャネルより時間領域において以前であってもよい。ただ、１６ｅのためのダウンリンクサブフレームが１６ｍのためのダウンリンクサブフレームより時間領域において以前の時、１６ｅＡＣＫチャネルが１６ｍＡＣＫチャネルより時間領域において以前であることが端末の処理遅延を考慮する時望ましい。また、１６ｍのためのダウンリンクサブフレームが１６ｅのためのダウンリンクサブフレームより時間領域において以前の時、１６ｍＡＣＫチャネルが１６ｅＡＣＫチャネルより時間領域において以前であることが望ましい。
【０１９５】
１６ｅＡＣＫチャネルと１６ｍＡＣＫチャネルとの比率は、１６ｅシステム及び１６ｍシステムにおけるＨＡＲＱを用いるデータ送信及びこれにともなうＡＣＫチャネルの数に応じて調節されることができる。例えば、１６ｍシステムを用いる端末に対するデータが増加すれば、図１０のように１６ｍＡＣＫチャネルの比率が増加する。
【０１９６】
図４７は、本発明の他の実施例に係るアップリンクＡＣＫチャネルの構成を示す。図４８は、本発明の他の実施例に係るアップリンクＡＣＫチャネルの構成を示す。図４７のＡＣＫチャネル及び図４８のＡＣＫチャネルは、時間領域で最後のサブフレームに位置し、周波数領域でお互いに異なる範囲を有する。
【０１９７】
図４７及び図４８を参照すると、アップリンクＡＣＫチャネルは、アップリンク領域(uplink region)の最後のサブフレームに位置することができる。アップリンク領域が３個のサブフレームで構成される時、アップリンクＡＣＫチャネルは、３番目のサブフレームに割り当てられることができる。３番目のサブフレーム内でアップリンクＡＣＫチャネルは最後の部分の少なくとも一つのＯＦＤＭシンボルを含むことができる。アップリンクＡＣＫチャネルが時間領域で最も遅いサブフレームに割り当てられれば、ダウンリンク領域(downlink region)の最も遅いサブフレームを介するデータ送信に対するＡＣＫ/ＮＡＣＫ信号も同一フレームのアップリンクＡＣＫチャネルを介して送信されることができる。アップリンクＡＣＫチャネルがアップリンク領域の最後のサブフレームに割り当てられれば、ＨＡＲＱを用いる端末のＡＣＫチャネル処理時間及び生成時間に対する最大限の遅延マージン(delay margin)が付与されることができる。
【０１９８】
最後のサブフレームに割り当てられるＡＣＫチャネルは、図１１のように周波数領域で全体論理的チャネルを含むこともでき、図１２のように一部論理的チャネルを含むこともできる。ＡＣＫチャネルに含まれる論理的チャネルは、ＨＡＲＱを用いるデータチャネルの数に応じて調節されたり、予め指定されることができる。
【０１９９】
図４９は、本発明の他の実施例に係るアップリンクＡＣＫチャネルの構成を示す。図５０は、本発明の他の実施例に係るアップリンクＡＣＫチャネルの構成を示す。図４９のＡＣＫチャネル及び図５０のＡＣＫチャネルは、時間領域で最後のサブフレームに位置して、図４９のＡＣＫチャネルでは、１６ｅＡＣＫチャネル及び１６ｍＡＣＫチャネルが時間領域に区分され、図５０のＡＣＫチャネルでは、１６ｅＡＣＫチャネル及び１６ｍＡＣＫチャネルが周波数領域に区分される。
【０２００】
図４９及び図５０を参照すると、アップリンク領域の最後のサブフレームに位置するＡＣＫチャネルは、１６ｅＡＣＫチャネル及び１６ｍＡＣＫチャネルを含むことができる。１６ｅＡＣＫチャネルは、図４９のように時間領域で区分されることができ、図５０のように周波数領域で区分されることができる。
【０２０１】
図５１は、本発明の他の実施例に係るアップリンクＡＣＫチャネルの構成を示す。図５２は、本発明の他の実施例に係るアップリンクＡＣＫチャネルの構成を示す。図５１のＡＣＫチャネルは、図４９のＡＣＫチャネルとお互いに異なる比率の１６ｅＡＣＫチャネル及び１６ｍＡＣＫチャネルを含む。図５２のＡＣＫチャネルは、図５０のＡＣＫチャネルとお互いに異なる比率の１６ｅＡＣＫチャネル及び１６ｍＡＣＫチャネルを含む。
【０２０２】
図５１及び図５２を参照すると、図５１のようにＡＣＫチャネルは、アップリンク領域の最後のサブフレームに位置して、１６ｅＡＣＫチャネル及び１６ｍＡＣＫチャネルを時間領域に区分して含むことができて、１６ｅＡＣＫチャネル及び１６ｍＡＣＫチャネルの比率は、時間領域で調節されることができる。図５２のように、ＡＣＫチャネルは、アップリンク領域の最後のサブフレームに位置して、１６ｅＡＣＫチャネル及び１６ｍＡＣＫチャネルを周波数領域に区分して含むことができ、１６ｅＡＣＫチャネル及び１６ｍＡＣＫチャネルの比率は、周波数領域で調節されることができる。１６ｅＡＣＫチャネル及び１６ｍＡＣＫチャネルの比率は、１６ｅシステム及び１６ｍシステムにおけるＨＡＲＱを用いるデータ送信及びこれにともなうＡＣＫチャネルの数に応じて調節されることができる。
【０２０３】
図５３は、本発明の他の実施例に係るアップリンクＡＣＫチャネルの構成を示す。図５４は、本発明の他の実施例に係るアップリンクＡＣＫチャネルの構成を示す。図５５は、本発明の他の実施例に係るアップリンクＡＣＫチャネルの構成を示す。図５６は、本発明の他の実施例に係るアップリンクＡＣＫチャネルの構成を示す。図５７は、本発明の他の実施例に係るアップリンクＡＣＫチャネルの構成を示す。
【０２０４】
図５３乃至図５７を参照すると、ダウンリンク領域に５個のダウンリンクサブフレーム(ＤＬ１乃至５サブフレーム)が含まれて、アップリンク領域に３個のアップリンクサブフレーム(ＵＬ１乃至３サブフレーム)が含まれる。ＤＬ１サブフレームは、１６ｅシステムのために割り当てられて、ＤＬ２乃至５は、１６ｍシステムのために割り当てられることができる。１６ｅＡＣＫチャネルは、ＵＬ１サブフレームに割り当てられて、１６ｍＡＣＫチャネルは、ＵＬ２及び３サブフレームに割り当てられることができる。
【０２０５】
１６ｅＡＣＫチャネル及び１６ｍＡＣＫチャネルは、周波数領域で論理的チャネル全体または一部を占めることができる。また、１６ｅＡＣＫチャネル及び１６ｍＡＣＫチャネルは、時間領域で次のように各サブフレーム内に割り当てられることができる。
【０２０６】
(１)図５３のように、１６ｅＡＣＫチャネル及び１６ｍＡＣＫチャネルは、各サブフレームの前方部に割り当てられることができ、これはＡＣＫ/ＮＡＣＫ信号をより速く送信するためである。
【０２０７】
(２)図５４のように、１６ｅＡＣＫチャネルは、サブフレームの前方部に割り当てられて、１６ｍＡＣＫチャネルは、サブフレームの後方部に割り当てられることができる。時間領域でサブフレームの後方部に割り当てられる１６ｍＡＣＫチャネルは、１６ｍシステムを用いる端末にＡＣＫチャネル処理時間及び生成時間に対する最大限の遅延マージン(delay margin)を付与することができる。
【０２０８】
(３)図５５のように、１６ｅＡＣＫチャネルは、サブフレームの前方部に割り当てられて、１６ｍＡＣＫチャネルのうち一つは、サブフレームの前方部に割り当てられ、他の一つは、サブフレームの後方部に割り当てられることができる。ＡＣＫチャネルは、各サブフレームにおける端末の処理遅延を考慮してサブフレーム内に位置されることができる。
【０２０９】
(４)図５６のように、１６ｅＡＣＫチャネルは、サブフレームの前方部に割り当てられて、１６ｍＡＣＫチャネルは、サブフレームの中間部分に割り当てられることができる。ＡＣＫチャネルは、各サブフレームにおける端末の処理遅延を考慮してサブフレーム内に位置されることができる。
【０２１０】
(５)図５７のように、１６ｅＡＣＫチャネルは、周波数領域で一部論理的チャネルを占めてサブフレームの前方部に割り当てられて、１６ｍＡＣＫチャネルは、サブフレームの前方部に割り当てられ、ＵＬ１サブフレームの１６ｅＡＣＫチャネルに周波数領域に連続して残りの論理的チャネルをさらに占めることができる。ダウンリンクで１６ｅシステム及び１６ｍシステムに割り当てられるサブフレームの比率及び端末の処理遅延に応じて１６ｅＡＣＫチャネル及び１６ｍＡＣＫチャネルの構成が調節されることができる。
【０２１１】
図５８は、本発明の他の実施例に係るアップリンクＡＣＫチャネルの構成を示す。
【０２１２】
図５８を参照すると、アップリンクＡＣＫチャネルに各アップリンクサブフレームでチャネル信頼度の高い論理的チャネルが割り当てられることができる。チャネル信頼度の高い論理的チャネルは、対応される物理的チャネルのチャネル状態が相対的に良いチャネルを意味する。各サブフレームでＡＣＫチャネルは、サブフレームに属する全てのＯＦＤＭシンボルを用いる、或いは一部ＯＦＤＭシンボルを用いることができる。アップリンクサブフレームごとにチャネル信頼度の高い論理的チャネルが異なることがあり、これに伴いＡＣＫチャネルは、アップリンクサブフレームごとに異なる周波数領域を占めることができる。従って、ＡＣＫチャネルは、チャネル状態に応じてアップリンクサブフレーム内で変動さえることができ、ＡＣＫチャネルの割当情報は、上位階層シグナリングを介して送信されることができる。
【０２１３】
図５９は、本発明の他の実施例に係るアップリンクＡＣＫチャネルの構成を示す。
【０２１４】
図５９を参照すると、アップリンクＡＣＫチャネルに各アップリンクサブフレームでチャネル信頼度の高い少なくとも一つのＯＦＤＭシンボルが割り当てられることができる。アップリンクＡＣＫチャネルは、時間領域で少なくとも一つのＯＦＤＭシンボルを含み、周波数領域で少なくとも一つの論理的チャネルを含むことができる。即ち、アップリンクＡＣＫチャネルは、論理的チャネルの全体または一部を含むことができる。
【０２１５】
図５８及び図５９のように、ＡＣＫチャネルがチャネル信頼度の高い論理的チャネルまたはＯＦＤＭシンボルに割り当てられる方式は、図４３乃至図５７のＡＣＫチャネル構成においても適用されることができる。
【０２１６】
以上、ダウンリンク領域及びアップリンク領域が時間領域に区分されるＴＤＤ(time division duplex)フレームでアップリンクＡＣＫチャネルの構成に対して説明したが、前述したアップリンクＡＣＫチャネルの配置及び構成は、ＴＤＤフレームでダウンリンクＡＣＫチャネルの構成にも同じ技術的思想によって適用されることができる。また、ダウンリンク領域及びアップリンク領域が周波数領域に区分されるＦＤＤ(frequency division duplex)フレームでもデータが送信される領域と時間的に処理遅延を有するようにＡＣＫチャネルを構成して本発明の技術的思想を適用することができる。
【０２１７】
<高速ＨＡＲＱ動作（Fast HARQ operation）>
【０２１８】
図６０は、本発明の一実施例に係る高速ＨＡＲＱを実行することができるフレーム構造を示す。
【０２１９】
図６０を参照すると、フレームは、５個のダウンリンクサブフレーム(ＤＬ１乃至５)及び３個のアップリンクサブフレーム(ＵＬ１乃至３)を含むと仮定する。
【０２２０】
一つのフレームを介して送信されるダウンリンクデータに対して同一フレーム内でアップリンクＡＣＫ/ＮＡＣＫ信号を全部送信しながら、各サブフレームに対するＡＣＫ/ＮＡＣＫ信号の遅延を最小化するために、アップリンクサブフレームとダウンリンクサブフレームの位置をスイッチング(switching)させることができる。即ち、複数のアップリンクサブフレームの少なくとも一つのダウンリンクサブフレームの位置が複数のダウンリンクサブフレーム間に配置されることができる。
【０２２１】
図示した通り、アップリンクサブフレーム１がダウンリンクサブフレーム２と３との間にスイッチングされることができる。ダウンリンクサブフレーム１に対するＡＣＫ/ＮＡＣＫ信号は、アップリンクサブフレーム１のＡＣＫチャネルを介して送信されて、ダウンリンクサブフレーム２及び３に対するＡＣＫ/ＮＡＣＫ信号は、アップリンクサブフレーム２のＡＣＫチャネルを介して送信されて、ダウンリンクサブフレーム４及び５に対するＡＣＫ/ＮＡＣＫ信号は、アップリンクサブフレーム３のＡＣＫチャネルを介して送信されることができる。このとき、アップリンクサブフレーム１のＡＣＫチャネルは、端末の処理遅延を考慮して時間的にアップリンクサブフレーム１の最後に位置することができる。アップリンクサブフレーム２のＡＣＫチャネルは、ダウンリンクサブフレーム２及び３に対して充分の処理遅延を有するため、時間的にアップリンクサブフレーム２の前方部に位置することができる。アップリンクサブフレーム３のＡＣＫチャネルは、端末の処理遅延を考慮して時間的にアップリンクサブフレーム３の最後に位置することができる。
【０２２２】
このように、ＴＤＤ方式のフレーム内でダウンリンクサブフレームとアップリンクサブフレームをスイッチングさせることによって、ダウンリンクデータ送信に対するＡＣＫ/ＮＡＣＫ信号の遅延を減らすことができる。ダウンリンクサブフレームとアップリンクサブフレームのスイッチングに対する情報は、フレーム構成に対するシステム情報または上位階層シグナリングを介して送信されることができる。ここではダウンリンクＨＡＲＱに対して説明したが、アップリンクＨＡＲＱでも同一方式でダウンリンクサブフレームとアップリンクサブフレームをスイッチングさせてＡＣＫ/ＮＡＣＫ信号の遅延を減らすことができる。
【０２２３】
図６１は、本発明の他の実施例に係る高速ＨＡＲＱを実行することができるフレーム構造を示す。
【０２２４】
図６１を参照すると、５個のダウンリンクサブフレーム(ＤＬ１乃至５)と３個のアップリンクサブフレーム(ＵＬ１乃至３)を含むフレームでアップリンクサブフレーム１がダウンリンクサブフレーム３と４との間にスイッチングされる構造を示す。
【０２２５】
ダウンリンクサブフレーム１に対するＡＣＫ/ＮＡＣＫ信号は、アップリンクサブフレーム１のＡＣＫチャネルを介して送信されて、ダウンリンクサブフレーム２及び３に対するＡＣＫ/ＮＡＣＫ信号は、アップリンクサブフレーム２のＡＣＫチャネルを介して送信されて、ダウンリンクサブフレーム４及び５に対するＡＣＫ/ＮＡＣＫ信号は、アップリンクサブフレーム３のＡＣＫチャネルを介して送信されることができる。このとき、アップリンクサブフレーム１のＡＣＫチャネルは、充分の処理遅延を有するため、時間的にアップリンクサブフレーム１の前方部に位置することができる。アップリンクサブフレーム２のＡＣＫチャネルは、ダウンリンクサブフレーム２及び３に対して充分の処理遅延を有するため、時間的にアップリンクサブフレーム２の前方部に位置することができる。アップリンクサブフレーム３のＡＣＫチャネルは、端末の処理遅延を考慮して時間的にアップリンクサブフレーム３の最後に位置することができる。
【０２２６】
高速ＨＡＲＱを実行するためのダウンリンクサブフレームとアップリンクサブフレームとの間のスイッチングは、端末の処理遅延の程度に応じて多様に行われることができ、アップリンクサブフレームまたはダウンリンクサブフレームがスイッチングされる位置は制限されない。
【０２２７】
以上でアップリンクＡＣＫチャネル及びダウンリンクＡＣＫチャネルを区分して説明したが、ＡＣＫチャネルの構成及びマッピング方式は、アップリンク及びダウンリンクに限定されず、アップリンクＡＣＫチャネルの構成及びマッピング方式は、ダウンリンクＡＣＫチャネルに対しても適用されることができ、ダウンリンクＡＣＫチャネルの構成及びマッピング方式は、アップリンクＡＣＫチャネルに対しても適用されることができる。
【０２２８】
前述した全ての機能は、前記機能を遂行するようにコーディングされたソフトウェアやプログラムコードなどにともなうマイクロプロセッサ、制御器、マイクロ制御器、ＡＳＩＣ(Application Specific Integrated Circuit)などのようなプロセッサによって実行されることができる。前記コードの設計、開発及び具現は、本発明の説明に基づいて当業者に自明である。
【０２２９】
以上、本発明に対して実施例を参照して説明したが、該当技術分野の通常の知識を有する者は、本発明の技術的思想及び領域から外れない範囲内で本発明を多様に修正及び変更させて実施可能であることを理解することができる。従って、前述した実施例に限定されず、本発明は、特許請求の範囲内の全ての実施例を含む。
【図１】
2011517383.tif 000008
【図２】
2011517383.tif 000009
【図３】
2011517383.tif 000010
【図４】
2011517383.tif 000011
【図５】
2011517383.tif 000012
【図６】
2011517383.tif 000013
【図７】
2011517383.tif 000014
【図８】
2011517383.tif 000015
【図９】
2011517383.tif 000016
【図１０】
2011517383.tif 000017
【図１１】
2011517383.tif 000018
【図１２】
2011517383.tif 000019
【図１３】
2011517383.tif 000020
【図１４】
2011517383.tif 000021
【図１５】
2011517383.tif 000022
【図１６】
2011517383.tif 000023
【図１７】
2011517383.tif 000024
【図１８】
2011517383.tif 000025
【図１９】
2011517383.tif 000026
【図２０】
2011517383.tif 000027
【図２１】
2011517383.tif 000028
【図２２】
2011517383.tif 000029
【図２３】
2011517383.tif 000030
【図２４】
2011517383.tif 000031
【図２５】
2011517383.tif 000032
【図２６】
2011517383.tif 000033
【図２７】
2011517383.tif 000034
【図２８】
2011517383.tif 000035
【図２９】
2011517383.tif 000036
【図３０】
2011517383.tif 000037
【図３１】
2011517383.tif 000038
【図３２】
2011517383.tif 000039
【図３３】
2011517383.tif 000040
【図３４】
2011517383.tif 000041
【図３５】
2011517383.tif 000042
【図３６】
2011517383.tif 000043
【図３７】
2011517383.tif 000044
【図３８】
2011517383.tif 000045
【図３９】
2011517383.tif 000046
【図４０】
2011517383.tif 000047
【図４１】
2011517383.tif 000048
【図４２】
2011517383.tif 000049
【図４３】
2011517383.tif 000050
【図４４】
2011517383.tif 000051
【図４５】
2011517383.tif 000052
【図４６】
2011517383.tif 000053
【図４７】
2011517383.tif 000054
【図４８】
2011517383.tif 000055
【図４９】
2011517383.tif 000056
【図５０】
2011517383.tif 000057
【図５１】
2011517383.tif 000058
【図５２】
2011517383.tif 000059
【図５３】
2011517383.tif 000060
【図５４】
2011517383.tif 000061
【図５５】
2011517383.tif 000062
【図５６】
2011517383.tif 000063
【図５７】
2011517383.tif 000064
【図５８】
2011517383.tif 000065
【図５９】
2011517383.tif 000066
【図６０】
2011517383.tif 000067
【図６１】
2011517383.tif 000068
【国際調査報告】
2011517383.tif 000069
2011517383.tif 000070
2011517383.tif 000071
2011517383.tif 000072